(57)【特許請求の範囲】
【請求項１】
空気に含まれる塵埃を除去する空気清浄フィルタ（２０，５２０）と、
供給された水を気化させて前記空気を加湿する加湿ユニット（３０，５３０）と、
前記空気清浄フィルタおよび前記加湿ユニットに送風する送風ファン（１２ａ，５１２ａ）と、
前記加湿ユニット、前記空気清浄フィルタ、および前記送風ファンを収納するケーシング（１１，５１１）と、
を備え、
前記空気清浄フィルタは、前記空気清浄フィルタの厚み方向を上下方向として前記ケーシング内に配置され、
前記ケーシングは、前記加湿ユニットを着脱するための開口（１５，５１５）を有し、
前記加湿ユニットは、前記空気清浄フィルタの取り外し方向において、前記空気清浄フィルタの下流側に並んで、前記空気清浄フィルタの上方に配置され、
前記開口は、前記加湿ユニットを取り外した後、前記空気清浄フィルタの取り外しを可能にする、
空気清浄機（１０，５１０）。
【請求項２】
前記取り外し方向は、前記空気清浄フィルタの厚み方向である、
請求項１に記載の空気清浄機。
【請求項３】
前記取り外し方向において、前記空気清浄フィルタの上流側に、前記空気清浄フィルタと前記ケーシングとの間の隙間をシールするシール手段（１１ｄ，１１ｅ，５１１ｅ）をさらに備える、
請求項１または２に記載の空気清浄機。
【請求項４】
前記加湿ユニットは、
前記水を貯留するタンク（３１，５３１）と、
前記タンクから前記水を受け取るトレイ（３２，５３２）と、
前記トレイから供給される前記水を含み、前記水を気化させることにより前記空気を加湿する加湿フィルタ（３３ａ，５３３ａ）と、
を有する、
請求項１から３のいずれかに記載の空気清浄機。
【請求項５】
前記空気清浄フィルタには、下方から上方に空気が通過し、
前記加湿ユニットは、前記ケーシング内に前記加湿ユニットおよび前記空気清浄フィルタが取り付けられた状態で、前記空気清浄フィルタの上方への移動を規制する移動規制部（５３２ｂ）を有する、
請求項１から４のいずれか１項に記載の空気清浄機（５１０）。
【請求項６】
前記空気清浄フィルタの少なくとも一部を収容するフィルタケース（５２３）、
を更に備え、
前記フィルタケースは、前記空気清浄フィルタを通過した前記空気を前記加湿ユニットへと導く気流ガイド（５２４）を含み、
前記移動規制部は、前記気流ガイドの上部に接触する、
請求項５に記載の空気清浄機。
【請求項７】
前記空気清浄フィルタは、第１フィルタ（５２２）と、前記第１フィルタの下方に配置される第２フィルタ（５２１）と、を含み、
前記フィルタケースは、前記第１フィルタを収容し、
前記フィルタケースに収容された前記第１フィルタの前記ケーシングへの取り付け時に、前記フィルタケースが前記第２フィルタの上面（５２１ｂｂ）を摺動し、
前記フィルタケースに収容された前記第１フィルタの前記ケーシングへの取り付け後に、前記フィルタケースが前記第２フィルタの前記上面と接触する、
請求項６に記載の空気清浄機。
【請求項８】
前記フィルタケース（５２３）には、ケース側凸部（５２３ａ）又はケース側凹部（５２３ｃ）が形成され、
前記ケーシング（５２３）には、前記フィルタケースに収容された前記第１フィルタが前記ケーシングに取り付けられた状態で、前記フィルタケースに形成された前記ケース側凸部又は前記ケース側凹部と嵌合する、ケーシング側凹部（５１１ｇ）又はケーシング側凸部（５１１ｊ）が形成される、
請求項７に記載の空気清浄機。
【請求項９】
前記第１フィルタが前記ケーシングに取り付けられているか否かを検知するフィルタ検知センサ（５２５）を更に備える、
請求項８に記載の空気清浄機。
【請求項１０】
前記ケーシングには、外部の空気を内部に吸い込むための吸込口（５１１ａ）が形成され、
前記吸込口には、プレフィルタ（５１１ａｃ）が設けられている、
請求項１から９のいずれか１項に記載の空気清浄機。
【発明の詳細な説明】
【技術分野】
【０００１】
本発明は、空気清浄機に関する。
【背景技術】
【０００２】
従来から、吸い込み空気を空気清浄フィルタによってろ過し清浄する空気清浄機が知られている。空気清浄フィルタは、例えば、特許文献１（特開２０００−２８３５４５号公報）に示すように、空気の流れ方向に対して、空気清浄フィルタのフィルタ面が直交するように配置される。
【０００３】
近年では、加湿ユニットを備える空気清浄機も知られる。加湿ユニットは、水を気化させて、ケーシングの内部の空気を加湿する。空気清浄機が空気清浄フィルタおよび加湿ユニットの両方を備えることにより、室内空間の空調環境をより好適に変化させることが可能になる。
【発明の概要】
【発明が解決しようとする課題】
【０００４】
ところで、一般的に、空気清浄フィルタは、特許文献１に示すように、ケーシングの横側に設けられた開口から空気の流れ方向に対して直交するように差し込み可能に構成されている。また、ケーシング内の気密性を確保するために、開口には蓋（扉）が設けられる。ここで、空気清浄機が加湿ユニットを備える場合には、空気清浄フィルタを着脱するための開口に加え、加湿ユニットを着脱するための開口も設ける必要がある。開口の数の増加は、気密性確保の観点から好ましくない。
【０００５】
本発明の課題は、開口の数を抑えることによりケーシング内の気密性の確保を容易にする空気清浄機を提供することにある。
【課題を解決するための手段】
【０００６】
本発明の第１観点に係る空気清浄機は、空気清浄フィルタと、加湿ユニットと、送風ファンと、ケーシングと、を備える。空気清浄フィルタは、空気に含まれる塵埃を除去する。加湿ユニットは、供給された水を気化させて空気を加湿する。送風ファンは、空気清浄フィルタおよび加湿ユニットに送風する。ケーシングは、加湿ユニット、空気清浄フィルタ、および送風ファンを収納する。空気清浄フィルタは、空気清浄フィルタの厚み方向を上下方向としてケーシング内に配置される。ケーシングは、加湿ユニットを着脱するための開口を有する。加湿ユニットは、空気清浄フィルタの取り外し方向において、空気清浄フィルタの下流側に並んで、前記空気清浄フィルタの上方に配置される。開口は、加湿ユニットを取り外した後、空気清浄フィルタの取り外しを可能にする。
【０００７】
本発明の第１観点に係る空気清浄機では、加湿ユニットが、空気清浄フィルタの取り外し方向において、空気清浄フィルタよりも下流側に配置されている。また、加湿ユニットを着脱するための開口が、加湿ユニットを取り外した後に空気清浄フィルタの取り外しに用いられる。
【０００８】
これにより、一つの開口を空気清浄フィルタの着脱および空気清浄フィルタの着脱の両方に用いることができる。その結果、開口の数を抑えることができる。
【０００９】
本発明の第２観点に係る空気清浄機は、第１観点に係る空気清浄機であって、取り外し方向は、空気清浄フィルタの厚み方向である。
【００１０】
本発明の第２観点に係る空気清浄機では、取り外し方向が、空気清浄フィルタの厚み方向である。すなわち、加湿ユニットが取り外されると、空気清浄フィルタの厚み方向に、空気清浄フィルタを取り外すための空間が形成される。
【００１１】
これにより、空気清浄フィルタの取り外しを容易にすることができる。
【００１２】
本発明の第３観点に係る空気清浄機は、第１または第２観点に係る空気清浄機であって、シール手段をさらに備える。シール手段は、空気清浄フィルタとケーシングとの間の隙間をシールする。シール手段は、取り外し方向において、空気清浄フィルタの上流側に備えられる。
【００１３】
本発明の第３観点に係る空気清浄機では、空気清浄フィルタの取り外し方向上流側に、空気清浄フィルタとケーシングとの間の隙間をシールするためのシール手段が設けられる。
【００１４】
これにより、ケーシング内での空気清浄フィルタのがたつきを抑えることができる。
【００１５】
本発明の第４観点に係る空気清浄機は、第１観点から第３観点のいずれかに係る空気清浄機であって、加湿ユニットは、タンクと、トレイと、加湿フィルタとを有する。タンクは、水を貯留する。トレイは、タンクから水を受け取る。加湿フィルタは、トレイから供給される水を含み、水を気化させることにより空気を加湿する。
【００１６】
本発明の第４観点に係る空気清浄機では、加湿ユニットが、タンク、トレイ、および加湿フィルタを含む。また、タンク、トレイ、および加湿フィルタが、ケーシングから取り外された後、開口を介して、空気清浄フィルタの取り外しが可能になる。
【００１７】
これにより、空気清浄フィルタの上方に、空気清浄フィルタを取り外すための十分な空間を確保することができる。
【００１８】
本発明の第５観点に係る空気清浄機は、第１観点から第４観点のいずれかに係る空気清浄機であって、空気清浄フィルタには、下方から上方に空気が通過する。加湿ユニットは、移動規制部を有する。移動規制部は、ケーシング内に加湿ユニットおよび空気清浄フィルタが取り付けられた状態で、空気清浄フィルタの上方への移動を規制する。
【００１９】
ここでは、加湿ユニットが空気清浄フィルタの上方への移動を規制するため、空気清浄フィルタの移動を規制するための専用部材を設けることなく、簡易な構成で空気清浄フィルタの浮き上がりを防止することができる。また、移動を規制するための専用部材を設ける場合に比べ、部品点数を抑制できる。
【００２０】
本発明の第６観点に係る空気清浄機は、第５観点に係る空気清浄機であって、空気清浄フィルタの少なくとも一部を収容するフィルタケースを更に備える。フィルタケースは、空気清浄フィルタを通過した空気を加湿ユニットへと導く気流ガイドを含む。移動規制部は、気流ガイドの上部に接触する。
【００２１】
ここでは、フィルタケースの気流ガイドの上部に加湿ユニットの移動規制部が接触することで空気清浄フィルタの上方への移動が規制されるため、簡易な構成で空気清浄フィルタの浮き上がりを防止することができる。また、気流ガイドと移動規制部とが接触する関係にあることで、気流ガイドと移動規制部との間を空気が通過し難く、空気清浄フィルタを通過した空気が意図しない経路へと導かれることを防止できる。
【００２２】
本発明の第７観点に係る空気清浄機は、第６観点に係る空気清浄機であって、空気清浄フィルタは、第１フィルタと、第１フィルタの下方に配置される第２フィルタと、を含む。フィルタケースは、第１フィルタを収容する。フィルタケースに収容された第１フィルタのケーシングへの取り付け時に、フィルタケースが第２フィルタの上面を摺動する。フィルタケースに収容された第１フィルタのケーシングへの取り付け後に、フィルタケースが第２フィルタの上面と接触する。
【００２３】
ここでは、第１フィルタのケーシングの取り付け時に、第２フィルタの上面を、第１フィルタを収容したフィルタケースが摺動するように構成されているため、第１フィルタのケーシングへの取り付けが容易である。また、第１フィルタの取り付け後は、フィルタケースが第２フィルタの上面に接触することで、第２フィルタの上方への移動を規制することができる。
【００２４】
本発明の第８観点に係る空気清浄機は、第７観点に係る空気清浄機であって、フィルタケースには、ケース側凸部又はケース側凹部が形成される。ケーシングには、フィルタケースに収容された第１フィルタがケーシングに取り付けられた状態で、フィルタケースに形成されたケース側凸部又はケース側凹部と嵌合する、ケーシング側凹部又はケーシング側凸部が形成される。
【００２５】
ここでは、ケーシングおよびフィルタケースに、嵌合しあう凸部および凹部の一方がそれぞれ設けられているため、フィルタケースに収容された第１フィルタを所定位置に取り付けることが容易である。
【００２６】
なお、フィルタケースを第２フィルタの上面で摺動させる場合、つまり、フィルタケースが第２フィルタの上面にガイドされる場合には、凸部と凹部とを嵌合させることは容易である。しかし、第２フィルタがない場合（フィルタケースを第２フィルタの上面で摺動させることができない場合）には、凸部と凹部との位置合わせをして、両者を嵌合させることが困難である。つまり、ここでは、第２フィルタが存在しない場合には、第１フィルタの取り付けが困難となる。そのため、第２フィルタの取り付け忘れを防止することが容易である。
【００２７】
本発明の第９観点に係る空気清浄機は、第８観点に係る空気清浄機であって、第１フィルタがケーシングに取り付けられているか否かを検知するフィルタ検知センサを更に備える。
【００２８】
ここでは、フィルタ検知センサを備えることで、第１フィルタの取り付け忘れを防止することができる。
【００２９】
また、空気清浄機は、第２フィルタが存在しない場合には、第１フィルタの取り付けが困難となる構成であるため、第１フィルタの有無を検知するだけで、空気清浄フィルタ全体の取り付け忘れを検知することが可能である。
【００３０】
本発明の第１０観点に係る空気清浄機は、第１観点から第９観点のいずれかに係る空気清浄機であって、ケーシングには、外部の空気を内部に吸い込むための吸込口が形成されている。吸込口には、プレフィルタが設けられている。
【発明の効果】
【００３１】
本発明の第１観点に係る空気清浄機では、一つの開口を空気清浄フィルタの着脱および空気清浄フィルタの着脱の両方に用いることができる。その結果、開口の数を抑えることができる。
【００３２】
本発明の第２観点に係る空気清浄機では、空気清浄フィルタの取り外しを容易にすることができる。
【００３３】
本発明の第３観点に係る空気清浄機では、ケーシング内での空気清浄フィルタのがたつきを抑えることができる。
【００３４】
本発明の第４観点に係る空気清浄機では、空気清浄フィルタの上方に、空気清浄フィルタを取り外すための十分な空間を確保することができる。
【００３５】
本発明の第５観点に係る空気清浄機では、加湿ユニットが空気清浄フィルタの上方への移動を規制するため、空気清浄フィルタの移動を規制するための専用部材を設けることなく、簡易な構成で空気清浄フィルタの浮き上がりを防止することができる。
【００３６】
本発明の第６観点に係る空気清浄機では、簡易な構成で空気清浄フィルタの浮き上がりを防止することができる。
【００３７】
本発明の第７観点に係る空気清浄機では、第１フィルタのケーシングへの取り付けが容易で、かつ、第２フィルタの上方への移動を規制することができる。
【００３８】
本発明の第８観点に係る空気清浄機では、第１フィルタを所定位置に取り付けることが容易である。
【００３９】
本発明の第９観点に係る空気清浄機では、第１フィルタの取り付け忘れを防止することができる。
【図面の簡単な説明】
【００４０】
【図１】本発明の第１実施形態に係る空気清浄機の概略斜視図である。
【図２】空気清浄機の内部構成を後方から見たときの概略図である。
【図３】空気清浄機の内部構成を右側方から見たときの概略図である。
【図４】空気清浄機の内部構成を上方から見たときの概略図である。
【図５】加湿ユニットの概略構成を示す斜視図である。ケーシングに取り付けられた状態の加湿ユニットの状態を示す。
【図６】加湿ユニットの概略構成を示す斜視図である。ケーシングから取り外される際の分離された状態の加湿ユニットを示す。
【図７】取り外し操作の過程を示す図である。
【図８】取り外し操作の過程を示す図である。
【図９】変形例１Ｂに係る空気清浄機の取り外し操作の過程を示す図である。
【図１０】変形例１Ｃに係る空気清浄機の取り外し操作の過程を示す図である。
【図１１】変形例１Ｃに係る空気清浄機の取り外し操作の過程を示す図である。
【図１２】変形例１Ｄに係る空気清浄機の概観斜視図である。
【図１３】変形例１Ｄに係る空気清浄機の内部構成を後方から見たときの概略図である。
【図１４】変形例１Ｄに係る空気清浄機の内部構成を上方から見たときの概略図である。
【図１５】変形例１Ｄに係る空気清浄機について、取り外し過程を示す図である。
【図１６】変形例１Ｅに係る空気清浄機の概観斜視図である。
【図１７】変形例１Ｅに係る空気清浄機の内部構成を後方から見たときの概略図である。
【図１８】変形例１Ｅに係る空気清浄機の内部構成を右側方から見たときの概略図である。
【図１９】変形例１Ｅに係る空気清浄機について、取り外し過程を示す図である。
【図２０】本発明の第２実施形態に係る空気清浄機の斜視図である。
【図２１】図２０に係る空気清浄機のXXI−XXI矢視の断面図である。空気清浄機の内部を右方から見た断面図である。
【図２２】図２０に係る空気清浄機のXXII−XXII矢視の断面図である。空気清浄機の内部を前方から見た断面図である。
【図２３】図２０に係る空気清浄機のケーシング内に収容された加湿エレメントの周辺を上方から見た図である。
【図２４】図２０に係る空気清浄機のファン周辺の構造およびファンから吹き出す空気の流れの向きについて説明するための図面である。
【図２５】図２０に係る空気清浄機において用いられる集塵フィルタの平面図である。
【図２６】図２０に係る空気清浄機の、脱臭フィルタを収容したフィルタケースを左前方から見た斜視図である。
【図２７】図２６に係るフィルタケースを右前方から見た斜視図である。
【図２８】図２６に係るフィルタケースに隣接して設けられる脱臭フィルタ検知センサについて説明するための図面である。（ａ）は、フィルタケースに脱臭フィルタが収容されていない場合の脱臭フィルタ検知センサの状態を示している。（ｂ）は、フィルタケースに脱臭フィルタが収容されている場合の脱臭フィルタ検知センサの状態を示している。
【図２９】図２０に係る空気清浄機の加湿トレイのケーシングへの取り付け、および、加湿エレメントのロータ回転軸と加湿用モータの駆動軸との連結について説明するための図である。
【図３０】図２０に係る空気清浄機における空気の流れを説明するための図である。図３０は、ケーシングの内部を前方から見た断面図を用いて空気の流れを説明している。
【図３１】図２０に係る空気清浄機の、特に加湿ユニットおよびバイパス開口回りの空気の流れについて説明するための図である。加湿エレメントの図示は省略している。
【図３２】図２０に係る空気清浄機の加湿ユニットおよび空気清浄フィルタの取り外しの過程を前方から見た断面図である。（ａ）は加湿ユニットおよび空気清浄フィルタの取り外し前の状態を示している。（ｂ）は加湿ユニットの加湿タンクの取り外しの状態を示している。（ｃ）は加湿ユニットの加湿トレイの取り外しの状態を示している。（ｄ）は空気清浄フィルタの脱臭フィルタの取り外しの状態を示している。（ｅ）は空気清浄フィルタの集塵フィルタの取り外しの状態を示している。
【図３３】図２０に係る空気清浄機の加湿ユニットの取り外しの過程を左前方から見た概略斜視図である。（ａ）は加湿ユニットの取り外し前の状態を示している。（ｂ）は加湿タンクの取り外しの状態を示している。（ｃ）は加湿タンクを取り外した状態を示している。（ｄ）は加湿トレイの取り外しの状態を示している。
【図３４】図２０に係る空気清浄機において、集塵フィルタを取り付けずに、フィルタケースを取り付けた状態を模式的に描画した図である。
【図３５】変形例２Ｇに係る空気清浄機の内部を前方から見た断面図である。ケーシングに凸部が、フィルタケースにケーシングの凸部が嵌合する凹部が、それぞれ形成されている。
【図３６】変形例２Ｈに係る空気清浄機の内部を右方から見た断面図である。変形例２Ｈに係る空気清浄機では、加湿ユニットに加湿ロータヒシャク方式が採用されている。
【発明を実施するための形態】
【００４１】
以下、図面を参照しながら、本発明の実施形態について説明する。なお、以下の実施形態は、本発明の一つの具体例であって、本発明の技術的範囲を限定するものではない。
【００４２】
＜第１実施形態＞
（１）空気清浄機の全体構成
図１から図４は、本発明の第１実施形態に係る空気清浄機１０の概略構成を示す。具体的に、図１は、空気清浄機１０の外観斜視図である。図２は、図１に示す空気清浄機のＩ−Ｉ断面の概略図である。言い換えると、図２は、空気清浄機１０の内部構成を後側から見たときの概略図である。図３は、図１に示す空気清浄機１０のＩＩ−ＩＩ断面の概略図である。言い換えると、図３は、空気清浄機１０の内部構成を右側方から見たときの概略図である。図４は、空気清浄機１０の内部構造を上方から見たときの概略図である。
【００４３】
本実施形態に係る空気清浄機１０は、空気清浄機能および加湿機能を有する。空気清浄機１０では、加湿機能を選択的に実行可能な構成になっている。具体的に、ユーザーによって加湿機能が選択されなかった場合には、空気清浄機１０において、空気清浄機能のみが有効に機能し、ユーザーによって加湿機能が選択された場合には、空気清浄機能と共に加湿機能が有効に機能する。すなわち、ユーザーによって加湿機能が選択された場合、空気清浄機１０は、加湿装置としても機能する。
【００４４】
空気清浄機１０は、図１に示すように、四角柱状のケーシング１１を備える。また、図２に示すように、空気清浄機１０は、ケーシング１１の内部に、主として、送風装置１２、空気清浄フィルタ２０、および加湿ユニット３０を備える。以下、空気清浄機１０の構成について詳細に説明する。
【００４５】
（２）詳細構成
（２−１）ケーシング
ケーシング１１は、上述したように、送風装置１２、空気清浄フィルタ２０、および加湿ユニット３０を収納する。ケーシング１１は、図２および図３に示すように、内部に、送風室Ｒ１、空気清浄室Ｒ２、および加湿室Ｒ３を形成する。送風室Ｒ１には、送風装置１２が配置される。空気清浄室Ｒ２には、空気清浄フィルタ２０が配置される。加湿室Ｒ３には、加湿ユニット３０が配置される。送風室Ｒ１、空気清浄室Ｒ２、および加湿室Ｒ３は、下方から上方に向かって順番に並ぶ。
【００４６】
ケーシング１１は、上述したように、四角柱状である。すなわち、ケーシング１１は、縦に長く延びた形状を有する。そのため、本実施形態に係る空気清浄機１０の設置面積は、送風室Ｒ１、空気清浄室Ｒ２、および加湿室Ｒ３が水平方向に並ぶ従来の空気清浄機１０の設置面積に比べて小さい。具体的に、ケーシング１１は、枠体と枠体に取り付けられる複数の面とからなる。
【００４７】
ケーシング１１には、図１に示すように、吸込口１１ａおよび吹出口１１ｂが設けられている。吸込口１１ａは、ケーシング１１の外側の空気をケーシング１１内部に吸い込むための開口である。吸込口１１ａは、ケーシング１１の正面下部および背面下部にそれぞれ設けられている（図１および図３参照）。吹出口１１ｂは、ケーシング１１の内部を通過した空気を吹き出すための開口である。すなわち、吹出口１１ｂは、ケーシング１１内の空気の出口である。吹出口１１ｂは、図１に示すように、ケーシング１１の天井部分に設けられている。具体的に、吹出口１１ｂは、ケーシング１１の天井部分において、前面側の一辺を除く天井部分の外形に沿って、外形の内側に形成される。言い換えると、吹出口１１ｂは、ケーシング１１の天井部分の左右両側および後側を構成する辺に沿って、当該辺の内側に形成される（図１および図２参照）。なお、本実施形態において、吹出口１１ｂは、矩形に組まれた枠体によって形成される。
【００４８】
また、ケーシング１１には、開口１５が形成される（図７（ｂ），（ｃ）参照）。開口１５は、空気清浄機１０の正面側からアクセス可能な場所に形成される。本実施形態において、開口１５は、空気清浄機１０の上部に位置する。開口１５は、扉１１ｃによって開閉可能である。扉１１ｃには、取っ手１１ｃａが形成されている。開口１５は、ケーシング１１に収納された各構成を着脱可能にする。具体的に、開口１５によって、ケーシング１１内の加湿ユニット３０および空気清浄フィルタ２０にアクセス可能になる。
【００４９】
扉１１ｃは、ケーシング１１から取り外し可能な構成を有する。また、扉１１ｃは、後述するタンク３１に取り付けられる。具体的に、扉１１ｃは、タンク３１と一体として移動可能なように取り付けられている。すなわち、扉１１ｃがケーシング１１から取り外されることにより、タンク３１もケーシング１１から取り外される。扉１１ｃは、空気清浄機１０の上方に向かって取り外し可能である（図７（ｂ）参照）。なお、扉１１ｃは、空気清浄機１０の前面に向かって取り外し可能な構成であってもよい。扉１１ｃがケーシング１１から取り外されることにより、開口１５が開放される。
【００５０】
ケーシング１１内部には、整流板３６が設けられている（図３参照）。図３に示すように、整流板３６は、加湿室Ｒ３に設けられる。具体的に、整流板３６は、加湿室Ｒ３において、後述する加湿エレメント３３の近傍に配置される。整流板３６は、空気清浄室Ｒ２から加湿室Ｒ３に流れ込んだ空気の流れｆ３を加湿エレメント３３に誘導する。詳細には、整流板３６は、空気の流れｆ３が、加湿エレメント３３をバイパスして吹出口１１ｂに直接流れ出ないように、空気の流れを加湿エレメント３３に向けて誘導する。
【００５１】
さらに、ケーシング１１内部には、図２に示すように、フランジ部１１ｄ，１１ｆが設けられる。フランジ部１１ｄは、空気清浄室Ｒ２に設けられる。また、フランジ部１１ｆは、加湿室Ｒ３に設けられる。具体的に、フランジ部１１ｄは、空気清浄室Ｒ２を構成するケーシング１１の内壁に設けられる。より具体的に、フランジ部１１ｄは、ケーシング１１の内周に沿った所定の高さ位置に設けられる。フランジ部１１ｄには、後述する空気清浄フィルタ２０が載置される。すなわち、フランジ部１１ｄは、空気清浄フィルタ２０に対して、空気の流れ方向上流側に配置される。フランジ部１１ｄは、空気清浄フィルタ２０を空気清浄室Ｒ２において平面配置するために設けられる。フランジ部１１ｄは、後述するシール部材１１ｅとともに、空気清浄フィルタ２０とケーシング１１の内壁との隙間をシールするためのシール手段として機能する。フランジ部１１ｆは、加湿室Ｒ３を構成するケーシング１１の内壁に沿って設けられる。フランジ部１１ｆもまた、ケーシング１１の内周に沿った所定の高さ位置に設けられる。フランジ部１１ｆには、後述する加湿ユニット３０のトレイ３２が載置される。すなわち、フランジ部１１ｆは、加湿ユニット３０に対して、空気の流れ方向上流側に配置される。
【００５２】
ケーシング１１の側面上方には、図１に示すように、制御パネル１３が設けられている。制御パネル１３には、空気清浄機１０を操作するための各種スイッチ（例えば、電源スイッチや機能選択スイッチ）が設けられている。制御パネル１３は、ケーシング１１に内蔵されている制御装置（図示せず）に接続されている。制御パネル１３で受け付けられた信号は、制御装置に伝送される。
【００５３】
（２−２）送風装置
送風装置１２は、ケーシング１１の外側の空気を送風室Ｒ１に取り入れる。また、送風装置１２は、送風室Ｒ１に取り入れた空気を、空気清浄室Ｒ２および加湿室Ｒ３に向けて送風する。すなわち、送風装置１２は、空気清浄フィルタ２０と加湿ユニット３０（加湿エレメント３３）とに向けて送風する。
【００５４】
送風装置１２は、図３に示すように、ファン（送風ファン）１２ａおよびファンモータ１２ｂを含む。ファン１２ａは、シロッコファンである。ファン１２ａは、ハブ部１２ａａと、複数の羽根１２ａｂとによって構成される。複数の羽根１２ａｂは、ハブ部１２ａａの周縁に円筒状に配列される。ハブ部１２ａａおよび複数の羽根１２ａｂが回転することによって、空気は、回転軸方向に沿って吸い込まれ、さらに、複数の羽根１２ａｂから遠心方向に吹き出される。すなわち、ハブ部１２ａａおよび複数の羽根１２ａｂの回転により、空気は、ケーシング１１の外側から送風室Ｒ１内に、吸込口１１ａを介して吸い込まれる。複数の羽根１２ａｂから遠心方向に吹き出された空気は、その後、空気清浄室Ｒ２に送られる。
【００５５】
なお、送風装置１２は、送風室Ｒ１において平面中央に配置される。具体的に、送風装置１２は、空気清浄機１０の奥行き方向および幅方向において中央位置に配置される（図３参照）。すなわち、送風装置１２によって、送風室Ｒ１に吸い込まれた空気は、送風室Ｒ１の中央から空気清浄室Ｒ２の中央に向けて送られる。
【００５６】
（２−３）空気清浄フィルタ
空気清浄フィルタ２０は、空気清浄機１０に吸い込まれた空気を清浄化する。具体的に、空気清浄フィルタ２０は、空気に含まれる塵埃を除去する。空気清浄フィルタ２０は、空気の流れ方向において、送風装置１２の下流側に配置される。また、空気清浄フィルタ２０は、空気の流れ方向において、加湿ユニット３０の上流側に配置される。
【００５７】
図２および図３に示すように、空気清浄フィルタ２０は、集塵フィルタ２１および脱臭フィルタ２２を含む。集塵フィルタ２１は、薄くて柔らかい樹脂製のネットである。集塵フィルタ２１は、空気に含まれる埃を除去する。脱臭フィルタ２２は、空気に含まれる不快な臭いの成分を吸収する。集塵フィルタ２１および脱臭フィルタ２２は、空気清浄室Ｒ２内で、空気の流れ方向上流側から順番に配置される。具体的に、集塵フィルタ２１および脱臭フィルタ２２は、それぞれの厚み方向に沿って配置される。集塵フィルタ２１および脱臭フィルタ２２の厚み方向は、空気清浄室Ｒ２を通過する空気の流れ方向ｆ２と一致する。言い換えると、空気清浄フィルタ２０は、空気の流れ方向ｆ２に対して直交する方向に配置される。
【００５８】
空気清浄フィルタ２０は、上述したように、ケーシング１１の内部に形成されたフランジ部１１ｄに載置されている。言い換えると、空気清浄フィルタ２０は、フランジ部１１ｄによって保持される。空気清浄フィルタ２０と、フランジ部１１ｄとの間には、シール部材１１ｅが設けられる。シール部材１１ｅは、フランジ部１１ｄに平面配置される。具体的に、シール部材１１ｅは、フランジ部１１ｄの面に沿って配置される。フランジ部１１ｄおよびシール部材１１ｅは、上述したように、空気清浄フィルタ２０とケーシング１１の内壁との間の隙間をシールするシール手段として機能する。フランジ部１１ｄおよびシール部材１１ｅは、空気の流れ方向において、空気清浄フィルタ２０の上流側に配置される。言い換えると、シール手段は、空気清浄フィルタ２０の取り外し方向において、空気清浄フィルタ２０の上流側に配置される。シール手段は、送風室Ｒ１から空気清浄室Ｒ２に空気が送られる際に、空気清浄フィルタ２０とケーシング１１とのシール性を確保する。
【００５９】
メンテナンス時、空気清浄フィルタ２０は、開口１５を介して着脱される（図７参照）。具体的に、空気清浄フィルタ２０は、後述する加湿ユニット３０が開口１５を介して取り外された後、ケーシング１１内に形成される空間（すなわち、加湿室Ｒ３）を利用して移動し、その後、開口１５を介して着脱される。具体的に、空気清浄フィルタ２０は、空気清浄フィルタ２０の厚み方向に移動されてケーシング１１から取り外される。すなわち、空気清浄フィルタ２０の厚み方向は、空気清浄フィルタ２０の取り外し方向（着脱方向）と一致する。また、空気清浄フィルタ２０の取り外し方向と、空気清浄室Ｒ２における空気の流れ方向とは一致する。言い換えると、集塵フィルタ２１および脱臭フィルタ２２は、空気清浄室Ｒ２における空気の流れ方向に沿って移動させることで、フランジ部１１ｄから離反され、ケーシング１１から取り外される。
【００６０】
（２−４）加湿ユニット
加湿ユニット３０は、供給された水を気化させて空気を加湿する。加湿ユニット３０は、空気の流れ方向において、送風装置１２および空気清浄フィルタ２０の下流側に配置される。すなわち、加湿ユニット３０は、空気清浄フィルタ２０によって清浄化された空気を加湿する。
【００６１】
図５および図６に、加湿ユニット３０の概略構成を示す。図５は、ケーシング１１に取り付けられた状態の加湿ユニット３０を示す。図６は、ケーシング１１から取り外される際の分離された状態の加湿ユニット３０を示す。
【００６２】
加湿ユニット３０は、上述したように、ケーシング１１内で加湿室Ｒ３に配置される。すなわち、加湿ユニット３０は、ケーシング１１内の上方位置に配置される。加湿ユニット３０がケーシング１１から取り外されると、ケーシング１１内の上方位置に大きな空間ができる。具体的に、加湿ユニット３０がケーシング１１から取り外されると、加湿室Ｒ３において、空気清浄フィルタ２０が移動可能な空間が形成される。言い換えると、加湿ユニット３０がケーシング１１から取り外されると、空気清浄室Ｒ２の上方に、空気清浄フィルタ２０を取り外す際の移動経路となる空間が形成される。なお、空気清浄フィルタ２０は、空気清浄フィルタ２０の厚み方向（空気清浄フィルタ２０に直交する方向）に、移動されてフランジ部１１ｄから取り外される。
【００６３】
加湿ユニット３０は、図５および図６に示すように、主として、タンク３１、トレイ３２、および複数の加湿エレメント３３によって構成される。
【００６４】
（２−４−１）タンク
タンク３１は、複数の加湿エレメント３３に供給するための水を貯留する。タンク３１は、注水口３１ａを有する。注水口３１ａには、図示しない給水弁が取り付けられる。給水弁は、弁体をバネによって弁口に押し付ける一般的な構造である。したがって、ここでは給水弁の詳細な説明を省略する。
【００６５】
タンク３１は、使用時、後述するトレイ３２のタンク受け部３２ａに載せられる（図４および図６参照）。具体的に、タンク３１は、給水弁を下方にしてトレイ３２に装着される。タンク３１は、給水弁が鉛直下方に向けられた状態で、トレイ３２の押し込みピンに押し当てられる。これにより、タンク３１自身の重みによって押し込みピンが給水弁を開状態にする。
【００６６】
タンク３１は、図２および図３に示すように、ケーシング１１の内部において、吹出口１１ｂの近傍に配置される。また、タンク３１は、図４に示すように、ケーシング１１内において、左右方向中央に配置される。また、タンク３１の正面側の側面は、上述したように、扉１１ｃに取り付けられている。
【００６７】
図５に示すように、タンク３１の幅方向両側には、後述する複数の加湿エレメント３３が配置される。言い換えると、タンク３１は、複数の加湿エレメント３３に隣接して配置される。詳細に、タンク３１は、対向して配置される一対の加湿エレメント３３の間の空間を部分的に遮るような態様で配置される。言い換えると、タンク３１は、一対の加湿エレメント３３によって挟まれた空間に部分的に挿入される。
【００６８】
タンク３１は、図６に示すように、複数の外面を有する。複数の外面には、背面側垂直面Ｆ１、側方垂直面Ｆ２、湾曲面Ｆ３、および側方傾斜面Ｆ４が含まれる。
【００６９】
背面側垂直面Ｆ１は、空気清浄機１０の背面側近傍に位置する六角形の面である。背面側垂直面Ｆ１は、上下方向に垂直に延びる。背面側垂直面Ｆ１は、上下一対の辺と、左右一辺の辺と、上下および左右の辺を繋ぐ二つの傾斜する辺とを含む六つの辺からなる。上下一対の辺および左右一対の辺は、それぞれ平行である。なお、背面側垂直面Ｆ１の上端側の一辺の寸法ｄ１が、下端側の一辺の寸法ｄ２よりも大きい。
【００７０】
側方垂直面Ｆ２は、背面側垂直面Ｆ１の左右方向両側から正面側に向けて延びる面である。側方垂直面Ｆ２は、背面側垂直面Ｆ１に対して直交する面であり、上下方向に垂直に延びる。側方垂直面Ｆ２は、上下逆さのＬ字に類似する形状を有する。図６では、タンク３１の右側に位置する側方垂直面Ｆ２のみを示すが、タンク３１は、左側にも側方垂直面Ｆ２を有する。側方垂直面Ｆ２は左右対称の形状を有する。
【００７１】
湾曲面Ｆ３は、背面側垂直面Ｆ１の下端から下方に延びる面である。湾曲面Ｆ３は、部分的に前方側に湾曲する。具体的に、湾曲面Ｆ３の上端は、背面側垂直面Ｆ１と同じ平面位置にあり、湾曲面の下端は、背面側垂直面Ｆ１よりも正面側の平面位置にある。すなわち、湾曲面Ｆ３の下端は、背面側垂直面Ｆ１の平面位置よりも正面側に位置する。
【００７２】
側方傾斜面Ｆ４は、側方垂直面Ｆ２および湾曲面Ｆ３を繋ぐ壁面である。図６では、右側に位置する側方傾斜面Ｆ４のみを示すが、タンク３１は、左側にも側方傾斜面Ｆ４を有する。側方傾斜面Ｆ４は、左右対称の形状を有する。側方傾斜面Ｆ４は、空気清浄フィルタ２０を通過した空気の流れ方向に対して傾きを有する。空気清浄フィルタ２０を通過した空気の流れ方向は、加湿エレメント３３の厚み方向に直交する方向である（図２の符号ｆ３参照）。具体的に、側方傾斜面Ｆ４は、正面側から背面側に向かって、空気清浄機１０の幅方向中央に向かって傾斜する。言い換えると、側方傾斜面Ｆ４は、空気清浄機１０の前面側から背面側に向かって、空気清浄機１０の幅方向外側から内側に延びる。側方垂直面Ｆ２に対する側方傾斜面Ｆ４の傾斜角度は、隣接配置される加湿エレメント３３との距離や加湿室Ｒ３内の空間の広さ等によって適宜決定されうる。具体的に、傾斜角度は、加湿室Ｒ３内に送られた空気が、側方傾斜面Ｆ４に沿って流れることで、加湿エレメント３３の厚み方向に好適に誘導されるような傾きになるように設計される。
【００７３】
タンク３１の複数の外面は、加湿室Ｒ３内で複数回空気の流れ方向を変化させる。具体的に、タンク３１は、複数の外面によって、加湿室Ｒ３内に送られた空気が加湿エレメント３３を通過し、さらに吹出口１１ｂから吹き出されるように変化させる。
【００７４】
より具体的に、側方傾斜面Ｆ４は、タンク３１に沿って流れる空気を、タンク３１の両側に隣接配置された加湿エレメント３３に向けて流す。これにより、加湿室Ｒ３内において、加湿エレメント３３に向かう空気の流れが形成される。すなわち、側方傾斜面Ｆ４は、空気清浄フィルタ２０を通過した空気の流れを、加湿エレメント３３に誘導するように変化させる（図２参照）。言い換えると、側方傾斜面Ｆ４が、空気清浄フィルタ２０を通過した空気の流れ方向（略上下方向）に対して傾いていることにより、略上下方向の空気の流れが、加湿エレメント３３の厚み方向に誘導される（図２および図３の符号ｆ３およびｆ４参照）。その後、加湿エレメント３３の厚み方向に流れた空気（加湿エレメント３３を通過した空気）は、側方垂直面Ｆ２に誘導されて、吹出口１１ｂから吹き出される。
【００７５】
このように、加湿エレメント３３の厚み方向に直交する方向に流れる空気が、流れ方向を変えて加湿エレメント３３を通過し、さらに、タンク３１の外面に沿って流れて吹出口１１ｂから吹き出されるように、タンク３１は、複数の加湿エレメント３３に隣接して配置される。すなわち、タンク３１が複数の加湿エレメント３３に隣接して配置されることにより、複数の加湿エレメント３３近傍を流れる空気の流れ方向が変化する。その結果、空気清浄フィルタ２０を通過した空気は、加湿エレメント３３を通過するよう流れ方向が変化され、さらに、加湿エレメント３３を通過した後、吹出口１１ｂから吹き出されるように、流れ方向が変化される。
【００７６】
（２−４−２）トレイ
トレイ３２は、タンク３１から供給された水を受け取って一時的に溜めおく。また、トレイ３２は、後述する複数の加湿エレメント３３に水を供給する。トレイ３２は、図４に示すように、平面視で、Ｕ字に類似する形状を有する。具体的に、トレイ３２は、平面視で、Ｕ字の底辺に対応する部分（底辺対応部分）と、底辺対応部分の両側から延びる部分（延長部分）とによって構成される。底辺対応部分は、空気清浄機１０の幅方向（左右方向）に延びる。延長部分は、空気清浄機１０の左右両側のそれぞれで、奥行き方向（前後方向）に延びる。トレイ３２は、上述の空気清浄フィルタ２０の直上に配置される。具体的に、トレイ３２は、上述したように、フランジ部１１ｆに載置される。
【００７７】
トレイ３２は、図６に示すように、主として、タンク受け部３２ａ、水供給部３２ｂ、および軸受け部３２ｃを有する。
【００７８】
（ａ）タンク受け部
タンク受け部３２ａは、上述のタンク３１を受ける。タンク受け部３２ａは、上述の底辺対応部分に位置する。タンク受け部３２ａには、図示しない、支持部および押し込みピンが設けられている。支持部は、タンク３１の所定の箇所（タンク３１のコーナー）を支持する。押し込みピンは、タンク３１が自重で降下したときに給水弁にあたって、給水弁を押し開ける。その結果、タンク３１の水が、タンク受け部３２ａに供給される。
【００７９】
なお、タンク受け部３２ａの外壁には、取っ手３２ｄが設けられている（図１参照）。ユーザーがこの取っ手３２ｄに指を入れて、タンク受け部３２ａを手前（正面側）に引くことによって、ケーシング１１からトレイ３２が引き出される。
【００８０】
（ｂ）水供給部
水供給部３２ｂは、タンク３１から供給された水を、加湿エレメント３３に対して供給する部分である。具体的に、水供給部３２ｂは、タンク受け部３２ａに供給された水を受け取り、その後、加湿エレメント３３に供給する。水供給部３２ｂは、上述の延長部分に位置する。
【００８１】
水供給部３２ｂと、上述のタンク受け部３２ａとは、図示しない隔壁によって仕切られている。隔壁には、孔が形成されている。タンク３１からタンク受け部３２ａに供給された水は、孔を介して、水供給部３２ｂに送られる。すなわち、ケーシング１１の前面側に配置されたタンク受け部３２ａで受け取られた水は、その後、ケーシング１１の左右両側で奥行き方向に送られる。水供給部３２ｂには、所定水位まで水が満たされる。すなわち、水供給部３２ｂでは、加湿エレメント３３を浸漬させるために、所定水位まで水が溜められる。水供給部３２ｂに溜められる水は、タンク３１内に水がある限り、所定水位で維持されるように自動的に調節される。このようにして、一のトレイ３２によって一のタンク３１から受け取られた水が、複数の加湿エレメント３３に対して供給される。
【００８２】
（ｃ）軸受け部
軸受け部３２ｃは、後述する加湿エレメント３３の回転軸（ロータ回転軸）３３ｄを受ける部分である。軸受け部３２ｃは、上述の延長部分に位置する。軸受け部３２ｃは、水供給部３２ｂの側壁から鉛直上方へ延びる一対の柱である。
【００８３】
本実施形態では、水供給部３２ｂは、空気清浄機１０の幅方向両側でそれぞれ延びる。したがって、軸受け部３２ｃは、幅方向両側に位置する水供給部３２ｂのそれぞれに対して設けられる。なお、各水供給部３２ｂにそれぞれ設けられる軸受け部３２ｃは、奥行き方向において、同じ平面位置に配置される。すなわち、複数の水供給部３２ｂに設けられる軸受け部３２ｃのぞれぞれは、互いに対向する位置に配置される。
【００８４】
軸受け部３２ｃの上端には、ロータ回転軸３３ｄを回転可能に支持するために、Ｕ字状の窪みが形成されている。
【００８５】
（２−４−３）加湿エレメント
加湿エレメント３３は、供給された水を気化させて空気を加湿する。具体的に、加湿エレメント３３は、トレイ３２に溜められた水を気化させて空気を加湿する。より具体的に、加湿エレメント３３は、上述の水供給部３２ｂに溜められた水を気化させて空気を加湿する。
【００８６】
本実施形態では、複数の加湿エレメント３３が用いられる。具体的には、二つの加湿エレメント３３が用いられる。二つの加湿エレメント３３は、並列に配置されている。具体的に、二つの加湿エレメント３３は、空気清浄機１０の左右方向両側において、それぞれ奥行き方向に沿って配置される。二つの加湿エレメント３３は、図２、図４、および図５に示すように、タンク３１の両側に近接してそれぞれ配置される。また、二つの加湿エレメント３３は、対向する位置に配置される。
【００８７】
二つの加湿エレメント３３は、トレイ３２の上方に配置される。具体的に、加湿エレメント３３は、トレイ３２の水供給部３２ｂの上方に配置される。すなわち、二つの加湿エレメント３３のそれぞれには、上述したタンク３１およびトレイ３２によって水が供給される。言い換えると、二つの加湿エレメント３３のそれぞれには、共通の一のタンク３１および共通の一のトレイ３２によって水が供給される。
【００８８】
二つの加湿エレメント３３は、それぞれ、回転式である。具体的に、加湿エレメント３３は、主として、加湿フィルタ３３ａおよび加湿ロータ３３ｂを含む。加湿フィルタ３３ａは、不織布で円板状に形成された気化材である。加湿フィルタ３３ａは、フィルタ面を有する。二つの加湿エレメント３３は、互いのフィルタ面が対向するように配置される。加湿ロータ３３ｂは、加湿フィルタ３３ａの外円周を囲んで、加湿フィルタ３３ａを保持するフレームである。加湿ロータ３３ｂは、中心にロータ回転軸３３ｄを有し、外周に図示しない歯車を有する。歯車には、第１駆動部３３ｅおよび第２駆動部３３ｆがそれぞれ噛み合うように構成されている（図５および図６参照）。
【００８９】
図５および図６に示すように、第１駆動部３３ｅおよび第２駆動部３３ｆは、それぞれ、回転軸を有する。また、回転軸の両端には、ギアが固定されている。具体的に、第１駆動部３３ｅは、駆動ギア３３ｅａおよび被駆動ギア３３ｅｂを含む。また、第２駆動部３３ｆは、被駆動ギア３３ｆａ，３３ｆｂを含む。第１駆動部３３ｅの駆動ギア３３ｅａは、左側の加湿エレメント３３の歯車に噛み合うように配置される。また、第２駆動部３３ｆの被駆動ギア３３ｆａは、右側の加湿エレメント３３の歯車に噛み合うように配置される。第１駆動部３３ｅの被駆動ギア３３ｅｂと、第２駆動部３３ｆの被駆動ギア３３ｆｂとは、互いに噛み合うように配置される。
【００９０】
第１駆動部３３ｅの駆動ギア３３ｅａは、駆動モータ３５から回転力が伝達されて回転する（図７（ｂ）参照）。第１駆動部３３ｅの駆動ギア３３ｅａが回転することにより、駆動ギア３３ｅａに噛み合う加湿エレメント３３が回転する。また、駆動ギア３３ｅａの回転により、第１駆動部３３ｅの被駆動ギア３３ｅｂも回転する。さらに、第１駆動部３３ｅの被駆動ギア３３ｅｂの回転により、第２駆動部３３ｆの被駆動ギア３３ｆｂも回転する。さらに、第２駆動部３３ｆの被駆動ギア３３ｆｂの回転により、第２駆動部３３ｆの被駆動ギア３３ｆａも回転する。これにより、第２駆動部３３ｆの被駆動ギア３３ｆａに噛み合う加湿エレメント３３が回転する。すなわち、一つの駆動モータ３５が回転することにより、当該一つの駆動モータ３５の回転力が駆動ギア３３ｅａ、被駆動ギア３３ｅｂ，３３ｆｂ，３３ｆａと順次伝達される。その結果、二つの加湿エレメント３３の両方が回転する。
【００９１】
加湿エレメント３３は、図２、図４、および図６に示すように、複数の水汲み部３３ｃを備える。複数の水汲み部３３ｃは、加湿ロータ３３ｂの歯車の側面に設けられる。すなわち、水汲み部３３ｃは、加湿フィルタ３３ａの外周より外側に配置されている。水汲み部３３ｃは、カップ状である。水汲み部３３ｃは、加湿エレメント３３の回転時に、トレイ３２（水供給部３２ｂ）の水を汲み上げることが可能な形状を有する。
【００９２】
加湿エレメント３３は、図３に示すように、加湿フィルタ３３ａの下部がトレイ３２の水中に浸漬せず、また、加湿ロータ３３ｂの歯車の歯先が、最下点で、トレイ３２の底面と近接するように配置されている。水汲み部３３ｃは、加湿エレメント３３が回転することによって、順次、浸漬し、トレイ３２内の水を汲み上げる。水汲み部３３ｃは、その後、加湿エレメント３３の最上点近傍で、汲み上げた水を加湿フィルタ３３ａに浴びせる。具体的に、水汲み部３３ｃによって汲み上げられた水は、加湿エレメント３３の最上点近傍で、水汲み部３３ｃから流れ出て、加湿フィルタ３３ａに水を浴びせる。
【００９３】
（３）空気清浄機の動作および空気の流れ
以下、図２および図３を用いて、空気清浄機１０の動作および空気清浄機１０の動作に伴う空気の流れについて説明する。なお、図２および図３において、符号ｆ１〜ｆ５は、空気の流れを示す。また、図３において、空気清浄フィルタ２０を通過した後、加湿室Ｒ３に流れ込んだ空気の流れについて、実線は、加湿フィルタ３３ａの間を通過する空気の流れを示し、破線は、加湿フィルタ３３ａの外側の空気の流れを示す。
【００９４】
空気清浄機１０の電源がオンに設定されることによって、送風装置１２のファンモータ１２ｂがファン１２ａを回転させる。回転するファン１２ａは空気を遠心方向に吹き出すので回転軸周りの圧力が低下する。これにより、空気は、ファン１２ａの中心に位置するファン吸込口に吸い込まれる。その結果、吸込口１１ａからファン吸込口に向かう空気の流れが発生する。本実施形態に係る空気清浄機１０は、上述したように、送風室Ｒ１がケーシング１１の最下部に設けられている。また、吸込口１１ａは、ケーシング１１の正面下部および背面下部に形成されている。したがって、送風装置１２が駆動されると、空気清浄機１０は、正面下部および背面下部から空気を吸い込む（図３の符号ｆ１参照）。すなわち、送風装置１２の駆動により、ケーシング１１外の空気が、送風室Ｒ１に吸い込まれる。
【００９５】
送風装置１２の駆動により、空気は、複数の羽根１２ａｂから遠心方向に吹き出されて、空気清浄フィルタ２０に向けて流れる（図２および図３の符号ｆ２参照）。すなわち、送風室Ｒ１の空気は、空気清浄室Ｒ２に送られる。
【００９６】
空気清浄室Ｒ２に送られた空気は、先ず、上流側の集塵フィルタ２１を通過する。集塵フィルタ２１によって空気に含まれる埃が除去される。集塵フィルタ２１を通過した空気は、さらに下流側の脱臭フィルタ２２を通過する。脱臭フィルタ２２によって、空気に含まれる不快な臭い成分が脱臭フィルタ２２に吸着される。なお、空気清浄フィルタ２０の全面には、送風室Ｒ１から押し寄せる空気によって、静圧が作用する。空気清浄フィルタ２０を通過した空気は、その後、加湿室Ｒ３に送られる。
【００９７】
加湿室Ｒ３に送られた空気は、上方に向かって流れる（図２および図３の符号ｆ３参照）。加湿室Ｒ３内では、タンク３１の外面（外壁）に沿った空気の流れが生じる。また、整流板３６によって空気の流れｆ３が加湿フィルタ３３ａを通過するように誘導される。これにより、加湿室Ｒ３内に流れ込んだ空気は、空気清浄フィルタ２０の厚み方向（符号ｆ３参照）に流れた後、二つの加湿エレメント３３に向かって分岐する（図２の符号ｆ４参照）。すなわち、空気清浄フィルタ２０を通過した後、加湿エレメント３３の厚み方向に直交する方向に流れる空気の流れ方向は、加湿室Ｒ３内の空気がタンク３１に沿って流れることで、流れ方向を変えて加湿エレメント３３の厚み方向（ロータ回転軸３３ｄの軸方向）に曲がる。その後、空気は、加湿エレメント３３を通過して、タンク３１の外壁に沿って流れ、吹出口１１ｂから吹出される（図２および図３の符号ｆ５参照）。
【００９８】
なお、空気清浄機１０の電源がオンに設定されたときに加湿機能がオンに設定されると、加湿エレメント３３が回転する。加湿フィルタ３３ａの下部はトレイ３２の水中に浸漬しているので、加湿エレメント３３が回転することによって、新たに水中に浸漬される加湿フィルタ３３ａの部分がトレイ３２の水を吸い上げる。また、加湿エレメント３３の回転によって、水汲み部３３ｃがトレイ３２の水を汲み上げて加湿エレメント３３の最上点近傍で加湿フィルタ３３ａに散水する。その結果、加湿フィルタ３３ａの全域に水が行き渡る。すなわち、加湿機能がオンに設定されている場合、空気清浄室Ｒ２から加湿室Ｒ３に入った空気は、加湿エレメント３３に浸み込んだ水の気化を促進させる。これにより、空気は加湿空気となる。加湿空気は、その後、吹出口１１ｂから吹き出される。一方、空気清浄機１０の電源がオンに設定されたときに加湿機能がオフに設定されると、加湿エレメント３３は回転しない。すなわち空気は、十分に加湿されることなく吹出口１１ｂから吹き出される。
【００９９】
（４）空気清浄フィルタの着脱操作
次に、図７および図８を参照して、空気清浄フィルタ２０の取り外し操作について説明する。図７および図８のそれぞれは、ケーシング１１から空気清浄フィルタ２０が取り外すための操作（取り外し操作）を順番に表す。具体的に、図７（ａ）〜（ｄ）は、空気清浄機１０の斜視図を用いて取り外し操作の過程を示し、図８（ａ）〜（ｄ）は、図１の空気清浄機１０のＩＩ−ＩＩ断面の概略構成図を用いて取り外し操作の過程を示す。図７（ａ）〜（ｄ）のそれぞれは、図８（ａ）〜（ｄ）に対応する。なお、ケーシング１１への空気清浄フィルタ２０の取り付け操作は、取り外し操作の逆の工程で行われる。
【０１００】
図７（ａ）および図８（ａ）は、メンテナンス開始前の空気清浄機１０を示す。メンテナンス開始時には、図７（ｂ）および図８（ｂ）に示すように、まず、扉１１ｃが開かれる。具体的に、扉１１ｃがケーシング１１から取り外される。扉１１ｃが取り外された結果、開口１５が開放される（図７（ｂ）参照）。扉１１ｃが取り外されることにより、扉１１ｃに取り付けられたタンク３１もまた、ケーシング１１から取り外される。ここでは、扉１１ｃが上方に持ち上げられることによって、タンク３１がケーシング１１から取り外される。なお、扉１１ｃを正面側に引き出すことによって、タンク３１をケーシング１１から取り外してもよい。
【０１０１】
その後、図７（ｃ）および図８（ｃ）に示すように、トレイ３２がケーシング１１から取り外される。具体的に、トレイ３２は、取っ手３２ｄを用いて、手前側に引き出される。このとき、加湿エレメント３３は、開口１５を介してケーシング１１の外に取り出される。その結果、ケーシング１１内の上方に、広い空間が形成される。言い換えると、ケーシング１１からトレイ３２および加湿エレメント３３が取り外されたことにより、加湿室Ｒ３に、空気清浄フィルタ２０を移動可能な空間ができる。
【０１０２】
その後、図７（ｄ）および図８（ｄ）に示すように、空気清浄フィルタ２０がケーシング１１から取り外される。空気清浄フィルタ２０は、フィルタの厚み方向に移動させてフランジ部１１ｄから取り出した後、加湿室Ｒ３内を移動させて、ケーシング１１から取り外される。言い換えると、空気清浄フィルタ２０は、空気の流れ方向下流側に向けて引き上げられ、その後、開口１５を介してケーシング１１の外に取り出される。
【０１０３】
（５）特徴
（５−１）
上記実施形態に係る空気清浄機１０は、空気清浄フィルタ２０と、加湿ユニット３０と、ファン（送風ファン）１２ａと、ケーシング１１と、を備える。空気清浄フィルタ２０は、空気に含まれる塵埃を除去する。加湿ユニット３０は、供給された水を気化させて空気を加湿する。送風装置１２は、空気清浄フィルタ２０および加湿ユニット３０に向けて送風する。詳細には、送風装置１２は、空気清浄フィルタ２０および加湿フィルタ３３ａに対して送風する。ケーシング１１は、加湿ユニット３０、空気清浄フィルタ２０、および送風装置１２を収納する。ケーシング１１は、加湿ユニット３０を着脱するための開口１５を有する。加湿ユニット３０は、空気清浄フィルタ２０の取り外し方向において、空気清浄フィルタ２０の下流側に並んで配置される。開口１５は、加湿ユニット３０を取り外した後、空気清浄フィルタ２０の取り外しを可能にする。
【０１０４】
一般的に、空気清浄機が加湿ユニットを備える場合、空気清浄機には、加湿ユニットを着脱するための開口と、空気清浄フィルタを着脱するための開口とがそれぞれ設けられる。空気清浄フィルタを着脱するための開口は、空気の流れ方向に対して直交する方向に空気清浄フィルタを差し込み可能なように、ケーシングの側面に形成されている。加湿ユニットを着脱するための開口は、タンクの取り外しを可能にするために、ケーシングの側面に大きく形成されている。開口には、ケーシングの気密性を確保するために、蓋（扉）が設けられる。したがって、空気清浄機が加湿ユニットを備える場合、空気清浄フィルタ着脱用の開口および加湿ユニット着脱用の開口のそれぞれに対して、扉を設ける必要がある。開口に扉を設けることによって、ある程度の気密性を確保することは可能であるが、高い気密性を求める場合には、開口の数の増加は好ましくない。
【０１０５】
そこで、上記実施形態に係る空気清浄機１０では、加湿ユニット３０の着脱用の開口１５が、空気清浄フィルタ２０の着脱用の開口１５としても用いられる。具体的には、空気清浄フィルタ２０の取り外し方向において、加湿ユニット３０が空気清浄フィルタ２０よりも下流側に配置されている。空気清浄フィルタ２０は、加湿ユニット３０が開口１５を介して取り外された後、同じ開口１５を介してケーシング１１から取り外すことができる。すなわち、一つの開口を加湿ユニット３０の着脱および空気清浄フィルタ２０の着脱の両方に用いることができる。その結果、開口の数を抑えることができる。そのため、高い気密性を得ることができる。また、複数の開口や扉を設ける必要が無いため、製造工数を減らすことができる。
【０１０６】
（５−２）
上記実施形態に係る空気清浄機１０は、空気清浄フィルタ２０の取り外し方向は、空気清浄フィルタ２０の厚み方向である。すなわち、空気清浄フィルタ２０は、空気清浄フィルタ２０の厚み方向に取り外される。
【０１０７】
上述したように、従来の空気清浄機では、空気清浄フィルタは、空気の流れ方向に直交するように、ケーシングの横側から差し込まれていた。空気清浄フィルタを設ける場合、ケーシングに対する空気清浄フィルタの気密性を向上させるため、シール部材が設けられることが一般的である。シール部材は、空気清浄フィルタの外形に沿って配置される。ここで、空気清浄フィルタが、ケーシングの横側から差し込まれる構成の場合、空気清浄フィルタの取り外しの際、シール部材がケーシングあるいは空気清浄フィルタと擦れて磨耗する。その結果、一定の気密性を長期間確保することが困難となる。
【０１０８】
上記実施形態に係る空気清浄機１０においても、空気清浄フィルタ２０に対して気密性を高めるためにシール部材が用いられる。しかし、上記実施形態に係る空気清浄機１０では、空気清浄フィルタ２０が、空気清浄フィルタ２０の厚み方向に取り外される。そのため、空気清浄フィルタ２０の着脱時における空気清浄フィルタの磨耗を抑制することができる。その結果、一定の気密性を長期間確保することができる。
【０１０９】
また、上記実施形態に係る空気清浄機１０では、加湿ユニット３０が取り外された後に形成される大きな空間を利用して空気清浄フィルタ２０を取り外すことができる。これにより、空気清浄フィルタ２０の取り外しを容易にすることができる。
【０１１０】
（５−３）
上記実施形態に係る空気清浄機１０は、取り外し方向において空気清浄フィルタ２０の上流側に、空気清浄フィルタ２０とケーシング１１との間の隙間をシールするシール手段（フランジ部１１ｄおよびシール部材１１ｅ）をさらに備える。具体的に、空気清浄フィルタ２０は、図２および図３に示すように、ケーシング１１の内側に形成されたフランジ部１１ｄと、フランジ部１１ｄの上に平面配置されたシール部材１１ｅとの上に載置される。これにより、ケーシング１１に対する空気清浄フィルタ２０のがたつきを抑えることができる。
【０１１１】
（５−４）
上記実施形態に係る空気清浄機１０は、加湿ユニット３０が、水を貯留するタンク３１と、タンク３１から水を受け取るトレイ３２と、トレイ３２から供給される水を気化させて空気を加湿する加湿フィルタ３３ａとを有する。加湿ユニット３０がケーシング１１から取り外されると、ケーシング１１内には、空気清浄フィルタ２０の上方に大きな空間が形成される。したがって、空気清浄機１０のメンテナンス時に、空気清浄フィルタ２０を取り外すための十分な空間を確保することができる。また、空気清浄機１０の運転時には、加湿ユニット３０で空気清浄フィルタ２０を抑えることができる。これにより、空気清浄フィルタ２０の安定性を確保することができる。
【０１１２】
（６）変形例
以下、上記実施形態の変形例を説明する。なお、変形例において、上記実施形態で説明した構成については、同じ符号を用いて説明する。
【０１１３】
（６−１）変形例１Ａ
上記実施形態に係る空気清浄機１０の説明において、扉１１ｃが設けられている方向を前側（正面側）として説明したが、空気清浄機１０の正面は、いずれの方向であってもよい。例えば、制御パネル１３が設けられている方向を正面としてもよい。
【０１１４】
（６−２）変形例１Ｂ
上記実施形態に係る空気清浄機１０は、吹出口１１ｂは、図１に示すように、ケーシング１１の上端部（天井部分）に設けられる。また、扉１１ｃが取り外された場合に、ケーシング１１の上端部に吹出口１１ｂを構成する部分（枠体）が残る（図７（ａ），（ｂ）参照）。
【０１１５】
ここで、図９に示すように、ケーシング１１に吹出口グリル１１ｇが取り付けられた、空気清浄機１００を採用してもよい。具体的に、空気清浄機１００では、ケーシング１１の上端に、吹出口グリル１１ｇが取り付けられる。吹出口１１ｂは、吹出口グリル１１ｇに形成される（図９（ａ）参照）。吹出口グリル１１ｇが上方に向けて持ち上げられると、図９（ｂ）に示すように、ケーシング１１の上端が開放される。その後、図９（ｃ）に示すように、タンク３１が扉１１ｃと共に取り外される。その結果、ケーシング１１の前面側の上部も開放される。すなわち、ケーシング１１には、ケーシング１１の上端部から前面側上部にかけて大きな開口１５が形成される。図９（ｄ）に示すように、トレイ３２および加湿エレメント３３は、当該開口１５を介して、ケーシング１１から取り外される。なお、図９（ｃ），（ｄ）では、タンク３１と、トレイ３２および加湿エレメント３３との移動方向が上方向であるが、タンク３１と、トレイ３２および加湿エレメント３３との移動方向は、上方向に限られず、空気清浄機１００の前方であってもよい。
【０１１６】
上記実施形態に係る空気清浄機１０と同様に、空気清浄機１００においても、加湿ユニット３０をケーシング１１から取り外した後、ケーシング１１内に形成された広い空間を利用して、ケーシング内で空気清浄フィルタ２０を移動させることができる。また、開口１５を介して、空気清浄フィルタ２０をケーシング１１から取り外し可能な構成になっている。
【０１１７】
このように、空気清浄機１００においても、上記実施形態に係る空気清浄機１０と同様、一つの開口１５を用いて、加湿ユニット３０および空気清浄フィルタ２０の両方を着脱可能にすることができる。
【０１１８】
（６−３）変形例１Ｃ
上記実施形態に係る空気清浄機１０および変形例Ｂに係る空気清浄機１００は、前面の上部および天井部が開放可能な構成となっていた。すなわち、空気清浄機１０，１００は、ケーシング１１の前面上部から上端部にかけて大きな開口１５が形成される。
【０１１９】
ここで、開口１５は、ケーシング１１の前面上部のみに形成されるものであってもよい。例えば、図１０および図１１に示すように、ケーシング１１の前面上部のみ開放可能な構成を有する空気清浄機２００であっても、上記実施形態に係る空気清浄機１０と同様の効果を得ることができる。
【０１２０】
具体的に、空気清浄機２００は、ケーシング１１の上端部が開放不可能な構成になっている（図１０（ａ），（ｂ）参照）。図１０（ａ）および図１１（ａ）は、扉１１ｃを閉鎖している状態を示す。図１０（ｂ）および図１１（ｂ）に示すように、扉１１ｃは、下端部を支点として上端がケーシング１１から離れる方向に回動することができる構成を有する。取っ手１１ｃａを手前に引くことによって、扉１１ｃの上端がケーシング１１から離れて、タンク３１が露出する（図１０（ｂ）、図１１（ｂ）参照）。その後、図１０（ｃ）および図１１（ｃ）に示すように、タンク３１を、開口１５を介して、ケーシング１１から取り外し、さらにその後、トレイ３２および加湿エレメント３３も開口１５を介してケーシング１１から取り外す。これにより、空気清浄フィルタ２０の上方に、空気清浄フィルタ２０を移動可能にする空間が形成される。その結果、空気清浄フィルタ２０を、開口１５を介して、ケーシング１１から取り外すことができる（図１０（ｄ）および図１１（ｄ）参照）。
【０１２１】
このように、空気清浄機２００においても、上記実施形態に係る空気清浄機１０と同様、一つの開口１５を用いて、加湿ユニット３０および空気清浄フィルタ２０の両方を着脱可能にすることができる。
【０１２２】
（６−４）変形例１Ｄ
上記実施形態に係る空気清浄機１０は、吹出口１１ｂは、ケーシング１１の天井部分に形成される（図１および図２参照）。
【０１２３】
ここで、吹出口１１ｂは、図１２に示すように、吹出口１１ｂがケーシング１１の左右方向の両側面の上部に形成され、図１３および図１４に示すように、吹出口１１ｂが、複数の加湿エレメント３３のフィルタ面に対して対向する位置にそれぞれ配置されていてもよい。
【０１２４】
図１２は、吹出口１１ｂがケーシング１１の左右方向の両側面の上部に形成されている空気清浄機３００の例を示す外観斜視図である。図１３は、図１２に示す空気清浄機３００のＩＩＩ−ＩＩＩ断面の概略図である。言い換えると、図１３は、空気清浄機３００の内部構成を後側から見たときの概略図である。図１４は、空気清浄機３００の内部構成を上方から見たときの概略図である。空気清浄機３００は、上記実施形態に係る空気清浄機１０と同様、吸込口１１ａは、ケーシング１１の前後方向の両面の下部に形成されている。
【０１２５】
空気清浄機３００は、図１３および図１４に示すように、吹出口１１ｂが、加湿フィルタ３３ａのフィルタ面に対向する位置にそれぞれ配置されている。したがって、空気清浄機３００では、ケーシング１１の前面下部および背面下部から送風室Ｒ１に吸い込まれた空気が、上方の空気清浄室Ｒ２に流れ、その後、加湿室Ｒ３に送られる（図１３参照）。加湿室Ｒ３に送られた空気は、流れ方向を、加湿エレメント３３の厚み方向に変化させる。言い換えると、空気は、加湿エレメント３３に直交する方向に流れ方向を変化させて、吹出口１１ｂから吹き出される。
【０１２６】
図１５（ａ）に示すように、空気清浄機３００もまた、変形例Ｃに係る空気清浄機２００と同様、扉１１ｃは、下端部を支点として上端がケーシング１１から離れる方向に回動することができる構成を有する。取っ手１１ｃａを手前に引くことによって、扉１１ｃの上端がケーシング１１から離れて、タンク３１が露出する。その後、タンク３１を、開口１５を介してケーシング１１から取り外し、さらに、トレイ３２および加湿エレメント３３を、開口１５を介してケーシング１１から取り外す（図１５（ｂ）参照）。これにより、空気清浄フィルタ２０の上方に、空気清浄フィルタ２０を移動可能にする空間が形成される。その結果、空気清浄フィルタ２０を、開口１５を介して、ケーシング１１から取り外すことができる（図１５（ｃ）参照）。
【０１２７】
このように、空気清浄機３００もまた、上記実施形態に係る空気清浄機１０と同様、一つの開口１５を用いて、加湿ユニット３０および空気清浄フィルタ２０の両方を着脱可能にすることができる。
【０１２８】
さらに、空気清浄機３００では、吹出口１１ｂからケーシング１１の外側に吹き出される空気が、加湿フィルタ３３ａの広い範囲を通過する。すなわち、吹出口１１ｂを加湿フィルタ３３ａのフィルタ面に対向する位置に配置することによって、加湿フィルタ３３ａのフィルタ面を大きく利用して空気を加湿することができる。言い換えると、このような構成により、フィルタ面の利用面積を大きくすることができる。その結果、加湿効率を向上させることができる。
【０１２９】
（６−５）変形例１Ｅ
上記実施形態に係る空気清浄機１０は、空気清浄フィルタ２０がケーシング１１内で平置きされる（図２参照）。ここで、空気清浄フィルタ２０は、ケーシング１１内で垂直配置される構成であってもよい。
【０１３０】
図１６は、空気清浄フィルタ２０をケーシング１１内で垂直配置させる空気清浄機４００の例を示す外観斜視図である。空気清浄機４００において、吸込口１１ａは、ケーシング１１の左右方向の両側面の下部に形成され、吹出口１１ｂは、ケーシング１１の天井部分に形成される。
【０１３１】
図１７および図１８は、空気清浄機４００の内部構成を示す概略図である。具体的に、図１７は、図１６に示す空気清浄機４００のＩＶ−ＩＶ断面の概略図であり、空気清浄機４００の内部構成を後側から見たときの概略図である。また、図１８は、図１６に示す空気清浄機４００のＶ−Ｖ断面の概略図であり、空気清浄機４００の内部構成を右側から見たときの概略図である。図１７および図１８に示すように、空気清浄機４００では、送風室Ｒ１がケーシング１１内の上方に設けられ、空気清浄室Ｒ２および加湿室Ｒ３がケーシング１１内の下方に設けられる。
【０１３２】
空気清浄フィルタ２０は、ケーシング１１内部で垂直配置される。すなわち、空気清浄フィルタ２０は、図１７に示すように、吸込口１１ａに対向する位置に配置される。具体的に、空気清浄フィルタ２０は、フィルタ面が吸込口１１ａに対向するように配置される。また、空気清浄フィルタ２０は、ケーシング１１の左右方向両側にそれぞれ配置される。各空気清浄フィルタ２０は、ケーシング１１の前後方向に沿って設けられる。
【０１３３】
図１７に示すように、空気清浄機４００において、加湿エレメント３３は、ケーシング１１の左右方向両側にそれぞれ配置される。具体的に、加湿エレメント３３は、加湿フィルタ３３ａのフィルタ面が空気清浄フィルタ２０のフィルタ面に対向するように配置される。空気清浄機４００においても、加湿ユニット３０は、空気の流れ方向において、空気清浄フィルタ２０の下流側に配置され、また、空気清浄フィルタ２０の取り出し方向においても、空気清浄フィルタ２０の下流側に配置されている。
【０１３４】
吸込口１１ａから吸い込まれた空気は、ケーシング１１の下部中央に向かって流れる。具体的に、吸込口１１ａから吸い込まれた空気は、空気清浄フィルタ２０および加湿フィルタ３３ａの厚み方向に流れて空気清浄フィルタ２０および加湿フィルタ３３ａを順に通過する。すなわち、吸込口１１ａから吸い込まれた空気は、空気清浄フィルタ２０を通過した後、加湿フィルタ３３ａを通過する。
【０１３５】
その後、空気は、空気清浄フィルタ２０および加湿フィルタ３３ａの厚み方向に直交する方向に、空気の流れ方向を変化させる。具体的に、空気清浄フィルタ２０および加湿フィルタ３３ａを通過した空気は、図１７の矢印で示すように、その後、送風室Ｒ１に向けて上方に向かって流れる。送風室Ｒ１に送られた空気は、ハブ部１２ａａおよび複数の羽根１２ａｂの回転によって、回転軸方向に沿って吸い込まれ、複数の羽根１２ａｂから遠心方向に吹き出される。その後、吹出口１１ｂから吹き出される。
【０１３６】
図１９（ａ）〜（ｃ）は、空気清浄機４００についての空気清浄フィルタ２０の取り外し操作の過程を示す。図１９（ａ）に示すように、空気清浄機４００もまた、変形例Ｃに係る空気清浄機２００と同様、扉１１ｃが、下端部を支点として上端がケーシング１１から離れる方向に回動することができる構成を有する。取っ手１１ｃａを手前に引くことによって、扉１１ｃの上端がケーシング１１から離れて、タンク３１が露出する。その後、タンク３１を、開口１５を介して、ケーシング１１から取り外す。さらにその後、トレイ３２および加湿エレメント３３を、開口１５を介して、ケーシング１１から取り外す（図１９（ｂ）参照）。これにより、空気清浄フィルタ２０の厚み方向において、空気清浄フィルタ２０を移動可能にする空間が形成される。その結果、空気清浄フィルタ２０を、開口１５を介して、ケーシング１１から取り外すことができる（図１９（ｃ）参照）。
【０１３７】
このように、空気清浄機４００においても、上記実施形態に係る空気清浄機１０と同様、一つの開口１５を用いて、加湿ユニット３０および空気清浄フィルタ２０の両方を着脱可能にすることができる。
【０１３８】
さらに、空気清浄機４００でもまた、吸込口１１ａからケーシング１１の内側に吸い込まれる空気が、加湿フィルタ３３ａの広い範囲を通過する。すなわち、吹出口１１ｂを加湿フィルタ３３ａに対向する位置に配置することによって、加湿フィルタ３３ａのフィルタ面を大きく利用して空気を加湿することができる。その結果、加湿効率を向上させることができる。
【０１３９】
（６−６）変形例１Ｆ
上記実施形態に係るトレイ３２は、フランジ部１１ｆに載置される。ここで、トレイ３２の水供給部３２ｂの外壁に、外壁が延びる方向に沿って延びる細長い突出部が設けられ、ケーシング１１の内壁には、フランジ部１１ｆの他、当該突出部を保持可能な構成が設けられていてもよい。突出部は、トレイ３２の差し込み方向に沿って設けられる。これにより、トレイ３２の安定性が一層向上する。また、突出部によって、ケーシング１１の奥行き方向に沿ったトレイ３２の移動を容易にする。
【０１４０】
（６−７）変形例１Ｇ
上記実施形態では、一つの駆動モータ３５によって複数の加湿エレメント３３が回転される。具体的に、一つの駆動モータ３５の回転力が駆動ギア３３ｅａ、被駆動ギア３３ｅｂ，３３ｆｂ，３３ｆａと順次伝達され、その結果、二つの加湿エレメント３３の両方が回転する。
【０１４１】
ここで、一つの駆動モータ３５によって複数の加湿エレメント３３を回転させる構成として、他の構成が採用されてもよい。例えば、複数の加湿エレメント３３は、一のロータ回転軸３３ｄに固定されるように構成し、当該一のロータ回転軸３３ｄに駆動ギアを取り付ける。これにより、一の駆動モータ３５によって当該駆動ギアを回転させることにより、複数の加湿エレメント３３を回転させることができる。
【０１４２】
（６−８）変形例１Ｈ
上記実施形態に係る空気清浄機１０では、開口１５を開閉する扉１１ｃにタンク３１が一体となるように取り付けられている。したがって、扉１１ｃがケーシング１１から取り外されると、タンク３１もまたケーシング１１から取り外される。
【０１４３】
ここで、扉１１ｃとタンク３１とは、一体となっていなくてもよい。すなわち、扉１１ｃをケーシング１１から取り外した後、さらにタンク３１が開口１５から取り外されるような構成であってもよい。
【０１４４】
＜第２実施形態＞
本発明の第２実施形態に係る空気清浄機５１０について以下に説明する。
【０１４５】
（１）空気清浄機の全体構成
図２０は、本発明の第２実施形態に係る空気清浄機５１０の外観斜視図である。以下の説明では、方向や配置等を説明するために「前（正面）」、「後（背面）」、「右」、「左」、「上」、「下」等の表現を用いる場合があるが、特記しない場合には、図２０に示した矢印に従い方向や配置等を表す。なお、図２１〜図２３、図３０〜図３２にも「前」、「後」、「右」、「左」、「上」、「下」を表す矢印を示しているが、図２１〜図２３、図３０〜図３３に矢印で示された方向と、図２０に矢印で示した方向とは一致している。
【０１４６】
図２１は、図２０に示す空気清浄機５１０のXXI−XXI矢視の断面図である。つまり、図２１は、図２０の空気清浄機５１０の内部を右方から見た図である。図２２は、図２０に示す空気清浄機５１０のXXII−XXII矢視の断面図である。つまり、図２２は、図２０の空気清浄機５１０の内部を前側から見た図である。
【０１４７】
本実施形態に係る空気清浄機５１０は、空気清浄機能および加湿機能（湿度調整機能）を有する。空気清浄機５１０では、加湿機能を選択的に実行可能な構成（加湿機能をオン／オフ可能な構成）になっている。具体的には、ユーザーが加湿機能を選択した場合（加湿機能をオンにした場合）に、空気清浄機５１０の空気清浄機能と加湿機能とが共に有効に機能する。一方、ユーザーが加湿機能を選択しない場合（加湿機能をオフにした場合）には、空気清浄機５１０の空気清浄機能のみが有効に機能する。ただし、これに限定されるものではなく、空気清浄機５１０は、常に空気清浄機能および加湿機能を有効に機能させてもよい。ただし、加湿機能を選択的に実行可能な構成とした方が、ユーザーの快適性を確保することが容易である。
【０１４８】
空気清浄機５１０は、主にケーシング５１１（図２０参照）、送風装置５１２（図２１参照）、空気清浄フィルタ５２０（図２１参照）、フィルタケース５２３（図２２参照）、フィルタ検知センサ５２５（図２２参照）、および、加湿ユニット５３０（図２２参照）を備える。ケーシング５１１には、送風装置５１２、空気清浄フィルタ５２０、フィルタケース５２３、フィルタ検知センサ５２５、および加湿ユニット５３０が収容される。送風装置５１２は、ケーシング５１１の外部から空気を取り込み、空気清浄フィルタ５２０および加湿ユニット５３０に空気を送る。空気清浄フィルタ５２０は、空気に含まれる塵埃を除去するとともに、空気に含まれる臭いの成分を除去する。フィルタケース５２３は、後述する空気清浄フィルタ５２０の脱臭フィルタ５２２を収容する。フィルタ検知センサ５２５は、空気清浄フィルタ５２０の脱臭フィルタ５２２がケーシング５１１に取り付けられているか否かを検知する。加湿ユニット５３０は、供給された水を気化させて空気を加湿する。
【０１４９】
（２）詳細構成
以下に、空気清浄機５１０の主な構成である、ケーシング５１１、送風装置５１２、空気清浄フィルタ５２０、フィルタケース５２３、フィルタ検知センサ５２５、および加湿ユニット５３０について詳細を説明する。
【０１５０】
（２−１）ケーシング
ケーシング５１１は、空気清浄機５１０の、送風装置５１２、空気清浄フィルタ５２０、フィルタケース５２３、フィルタ検知センサ５２５、および加湿ユニット５３０等の構成機器や構成部品を収容する。ケーシング５１１は、外観が縦長の四角柱状、言い換えれば上下方向に長く延びる四角柱状に形成される。ケーシング５１１の内部には、構成機器や構成部品を収容する空間が形成されている。ケーシング５１１の側面上方（前面上方）には、図２０に示すように、制御パネル５１３が設けられている。制御パネル５１３には、空気清浄機５１０を操作するための各種スイッチ（例えば、電源スイッチや機能選択スイッチ）が設けられている。制御パネル５１３は、ケーシング５１１に内蔵されている制御装置（図示せず）に接続されている。制御パネル５１３が受け付けた各種指令は、制御装置に信号として伝送される。制御装置は、制御パネル５１３が受け付けた指令や、フィルタ検知センサ５２５を含む各種センサの検知結果に基づいて、空気清浄機５１０の動作を制御する。
【０１５１】
ケーシング５１１は、その内部が主に３つの空間に分割され、送風室Ｓ１、空気清浄室Ｓ２、および加湿室Ｓ３が形成されている（図２１および図２２参照）。
【０１５２】
送風室Ｓ１には、送風装置５１２が配置される（図２１および図２２参照）。空気清浄室Ｓ２には、空気清浄フィルタ５２０が配置される（図２１および図２２参照）。加湿室Ｓ３には、加湿ユニット５３０が配置される（図２１および図２２参照）。送風室Ｓ１、空気清浄室Ｓ２、および加湿室Ｓ３は、下方から上方に向かって順番に並ぶ（図２１および図２２参照）。言い換えれば、空気清浄機５１０のケーシング５１１内には、下方から順に、送風装置５１２、空気清浄フィルタ５２０、および後述する加湿ユニット５３０の加湿エレメント５３３（図２１参照）が配置されている。ここでは、作業のしやすい上方に、メンテナンスを要する加湿ユニット５３０が配置され、ケーシング５１１の左面上部に設けられた後述する開口５１５を介して加湿ユニット５３０にアクセス可能であるため、メンテナンス作業が容易である。
【０１５３】
送風室Ｓ１と空気清浄室Ｓ２との間には第１開口Ｋ１が設けられている（図２２参照）。第１開口Ｋ１は、送風室Ｓ１から空気清浄室Ｓ２へ空気を通す。また、空気清浄室Ｓ２と加湿室Ｓ３との間には第２開口Ｋ２が設けられている（図２２参照）。第２開口Ｋ２は、空気清浄室Ｓ２から加湿室Ｓ３へ空気を通す。
【０１５４】
ケーシング５１１には、図２０に示すように、吸込口５１１ａおよび吹出口５１１ｂが設けられている。吸込口５１１ａおよび吹出口５１１ｂは矩形状に形成された開口である。
【０１５５】
吸込口５１１ａは、ケーシング５１１外の空気をケーシング５１１内部に吸い込むための開口である。吸込口５１１ａは、ケーシング５１１の左面下部および右面下部にそれぞれ設けられている（図２２参照）。吸込口５１１ａには、使用者の指および異物の侵入を防止するための内格子５１１ａａおよび吸込グリル５１１ａｂが設けられている（図２２参照）。内格子５１１ａａは、ケーシング５１１の外面側に設けられた吸込グリル５１１ａｂの内側に配置されている（図２２参照）。また、吸込グリル５１１ａｂの内側には、ケーシング５１１内に取り込まれる空気から大きな塵埃を除去するためのプレフィルタ５１１ａｃが設けられている（図２２参照）。
【０１５６】
吹出口５１１ｂは、ケーシング５１１の内部を通過した空気を吹き出すための開口である。すなわち、吹出口５１１ｂは、ケーシング５１１の空気の出口である。吹出口５１１ｂからは、空気清浄フィルタ５２０による空気清浄後の空気、又は、空気清浄フィルタ５２０による空気清浄後、加湿ユニット５３０により加湿された空気が吹き出される。吹出口５１１ｂは、図２０に示すように、ケーシング５１１の上面（天井部分）に設けられている。吹出口５１１ｂには、使用者の指および異物の侵入を防止するための金網５１１ｂａおよび吹出グリル５１１ｂｂが設けられている（図２２参照）。金網５１１ｂａは、ケーシング５１１の外面側に設けられた吹出グリル５１１ｂｂの内側（下方）に配置されている（図２２参照）。
【０１５７】
ケーシング５１１の上部左面には、開口５１５が形成される（図２２および図３３（ｄ）参照）。開口５１５は、第１側板５１１ｃおよび第２側板５１１ｄの取り付け／取り外しをすることで、開閉可能に構成されている（図２０参照）。第１側板５１１ｃは、後述する加湿ユニット５３０の加湿タンク５３１と一体に形成されている（図２２参照）。第２側板５１１ｄは、後述する加湿ユニット５３０の加湿トレイ５３２の一部（左方側の側壁）を構成する（図２２参照）。第１側板５１１ｃには、第１側板５１１ｃの着脱時（加湿タンク５３１の着脱時）に用いられる取っ手５１１ｃａが形成されている（図２０参照）。第２側板５１１ｄには、第２側板５１１ｄの着脱時（加湿トレイ５３２の着脱時）に用いられる取っ手５１１ｄａが形成されている（図２０参照）。
【０１５８】
開口５１５は、ケーシング５１１に収容された構成を着脱するための開口である。具体的には、開口５１５は、ケーシング５１１内の加湿ユニット５３０および空気清浄フィルタ５２０の着脱（取り付け／取り外し）のために用いられる開口である。ここでは、加湿ユニット５３０のメンテナンス専用の作業用開口と、空気清浄フィルタ５２０のメンテナンス専用の作業用開口とを別々に設けるのではなく、１つの開口５１５から、加湿ユニット５３０および空気清浄フィルタ５２０の両方にアクセス可能に構成されている。そのため、ケーシング５１１の密閉性を向上させ、メンテナンス用の開口に生じる隙間から空気が流出することを防止することが容易である。開口５１５からの加湿ユニット５３０および空気清浄フィルタ５２０の取り付け／取り外しについては後述する。
【０１５９】
ケーシング５１１の内部には、後述する空気清浄フィルタ５２０の集塵フィルタ５２１を戴置するためのフランジ部５１１ｅが設けられる（図２１および図２２参照）。フランジ部５１１ｅは、空気清浄室Ｓ２において、ケーシング５１１の内壁に設けられる。フランジ部５１１ｅは、集塵フィルタ５２１を下方から支持する水平な支持面である。フランジ部５１１ｅは、空気清浄フィルタ５２０の集塵フィルタ５２１よりも下方、言い換えれば空気の流れ方向の上流側に配置される（図２１および図２２参照）。
【０１６０】
フランジ部５１１ｅは、ケーシング５１１の内壁の全周にわたって設けられる。フランジ部５１１ｅは、空気清浄フィルタ５２０の集塵フィルタ５２１の周縁部５２１ｂ（図２５参照）の下面５２１ｂａ（図２１参照）と密着し、集塵フィルタ５２１とケーシング５１１との隙間をシールするためのシール手段として機能する。なお、フランジ部５１１ｅと空気清浄フィルタ５２０との間には、集塵フィルタ５２１とケーシング５１１との隙間のシール性をより高めるため、例えば樹脂製のシール部材（図示せず）が配置されてもよい。
【０１６１】
ケーシング５１１の内部には、後述する空気清浄フィルタ５２０の脱臭フィルタ５２２が収容されたフィルタケース５２３を戴置するための支持部５１１ｆが設けられる（図２２参照）。支持部５１１ｆは、空気清浄室Ｓ２において、ケーシング５１１の左方側の内壁に設けられる（図２２参照）。支持部５１１ｆは、フランジ部５１１ｅより上方に設けられる（図２２参照）。支持部５１１ｆは、脱臭フィルタ５２２が収容されたフィルタケース５２３を下方から支持する水平な支持面である（図２２参照）。
【０１６２】
また、ケーシング５１１の内壁には、後述するフィルタケース５２３に設けられた凸部５２３ａと係合する凹部５１１ｇが設けられる（図２２参照）。凹部５１１ｇは、ケーシング５１１の右方側の内壁に２箇所設けられる。各凹部５１１ｇは、フィルタケース５２３に設けられた２箇所の凸部５２３ａ（図２７参照）の一方が、それぞれ嵌合するように形成されている。凹部５１１ｇは、フランジ部５１１ｅより上方に設けられている（図２２参照）。また、凹部５１１ｇは、フィルタケース５２３の右方側に設けられた凸部５２３ａを凹部５１１ｇに係合させ、フィルタケース５２３の左方側を支持部５１１ｆに戴置した状態で、フィルタケース５２３がほぼ水平になる位置に設けられている。なお、フィルタケース５２３がケーシング５１１に取り付けられた状態（凸部５２３ａが凹部５１１ｇに係合し、フィルタケース５２３の左方側が支持部５１１ｆに戴置された状態）では、フィルタケース５２３の下面は、後述する集塵フィルタ５２１の周縁部５２１ｂ（図２５参照）の上面５２１ｂｂ（図２１参照）に接触する。フィルタケース５２３のケーシング５１１への取り付けについては後述する。
【０１６３】
ケーシング５１１の内部には、整流板５１１ｈが設けられている（図２２参照）。図２２に示すように、整流板５１１ｈは、加湿室Ｓ３に設けられる。整流板５１１ｈは、第２開口Ｋ２の上方に設けられる。整流板５１１ｈは、加湿室Ｓ３において、後述する加湿エレメント５３３の右方に、加湿エレメント５３３と隣接して配置される。整流板５１１ｈは、右方側から左方側に向かって次第に高くなるように形成された平面を有する。整流板５１１ｈは、第２開口Ｋ２から加湿室Ｓ３に流れ込んだ空気の流れを、加湿エレメント５３３に誘導する。
【０１６４】
一方で、整流板５１１ｈには、バイパス開口５１１ｈａが形成されている（図３１参照）。バイパス開口５１１ｈａは、第２開口Ｋ２の上方に配置されている（図３１参照）。バイパス開口５１１ｈａは、図３１に一点鎖線の矢印で示すように、空気清浄フィルタ５２０を通過した空気の一部を、加湿室Ｓ３から加湿エレメント５３３を通過させずにケーシング５１１外に導く。このようにバイパス開口５１１ｈａを設けることで、全ての空気を圧力損失の比較的大きな加湿エレメント５３３へと導く場合に比べ、空気清浄フィルタ５２０を通過する空気の流量を増加させることができる。なお、整流板５１１ｈの加湿室Ｓ３とは反対側の面には、イオン発生器５４０が設けられている（図２２参照）。制御パネル５１３を通じてイオン発生器５４０の運転が指示されると、イオン発生器５４０はプラズマイオンを発生させる。プラズマイオンは、バイパス開口５１１ｈａを通過してケーシング５１１外に吹き出す空気により、ケーシング５１１外へと導かれる。
【０１６５】
（２−２）送風装置
送風装置５１２は、送風室Ｓ１に配置されている（図２２参照）。送風装置５１２は、ケーシング５１１の外側の空気を送風室Ｓ１に取り入れ、空気清浄室Ｓ２および加湿室Ｓ３に送風する装置である。すなわち、送風装置５１２は、空気清浄フィルタ５２０および加湿ユニット５３０（加湿エレメント５３３）に送風する装置である。
【０１６６】
送風装置５１２は、ファン５１２ａ、ファンモータ５１２ｂ、およびスクロールケーシング５１２ｃを主に有する（図２２参照）。ファン５１２ａは、送風室Ｓ１の左方側に配置され、ファンモータ５１２ｂは、送風室Ｓ１の右方側に配置される（図２２参照）。スクロールケーシング５１２ｃは、ファン５１２ａが吹き出した空気を、ファン５１２ａの上方に位置する第１開口Ｋ１へ導くための風路を形成している。
【０１６７】
ファン５１２ａは、風量が安定するシロッコファンである。ファン５１２ａは、ハブ部５１２ａａと、複数の羽根５１２ａｂとを有する（図２４参照）。複数の羽根５１２ａｂは、ハブ部５１２ａａの周縁に円筒状に配列される。ファン５１２ａがファンモータ５１２ｂによって駆動され、ハブ部５１２ａａおよび複数の羽根５１２ａｂが回転することによって、回転軸方向に沿ってファン５１２ａに空気が吸い込まれる。この時、ケーシング５１１外から送風室Ｓ１内に、吸込口５１１ａを介して空気が取り込まれる。ファン５１２ａにおいては、複数の羽根５１２ａｂから遠心方向に空気が吹き出される。複数の羽根５１２ａｂから遠心方向に吹き出された空気は、スクロールケーシング５１２ｃ内を第１開口Ｋ１へと導かれ、空気清浄室Ｓ２へと送られる。
【０１６８】
なお、空気は、上記のように複数の羽根５１２ａｂから遠心方向に吹き出されるため、図２４の一点鎖線の矢印が示すように、空気清浄フィルタ５２０の集塵フィルタ５２１には、上向きではなく、斜め上方向きに空気が流入する。
【０１６９】
（２−３）空気清浄フィルタ
空気清浄フィルタ５２０は、空気清浄機５１０に吸い込まれた空気を清浄化する。具体的に、空気清浄フィルタ５２０は、空気に含まれる塵埃を除去する。また、空気清浄フィルタ５２０は、臭いの原因となる成分を除去する。
【０１７０】
空気清浄フィルタ５２０は、空気清浄室Ｓ２に配置される（図２２参照）。空気清浄フィルタ５２０は、送風装置５１２の上方に配置され、加湿ユニット５３０の下方に配置される（図２２参照）。また、空気清浄フィルタ５２０は、空気の流れ方向において、送風装置５１２の下流側に配置され、加湿ユニット５３０の上流側に配置される。
【０１７１】
空気清浄フィルタ５２０は、主に集塵フィルタ５２１および脱臭フィルタ５２２を含む（図２１参照）。集塵フィルタ５２１は、空気に含まれる塵埃を除去する。脱臭フィルタ５２２は、空気に含まれる、臭いの原因となる成分を除去する。
【０１７２】
脱臭フィルタ５２２は、集塵フィルタ５２１の上方に配置される。言い換えれば、脱臭フィルタ５２２は、集塵フィルタ５２１に対し、空気の流れ方向の下流側に配置される。
【０１７３】
集塵フィルタ５２１および脱臭フィルタ５２２の厚み方向は、上下方向である。つまり、空気清浄フィルタ５２０は、上下方向を厚み方向とする。空気清浄フィルタ５２０には、主に厚み方向に空気が通過する。言い換えれば、空気清浄フィルタ５２０は、空気の通過方向に直交する方向に空気清浄フィルタ５２０（集塵フィルタ５２１および脱臭フィルタ５２２）が広がるように配置される。
【０１７４】
（２−３−１）集塵フィルタ
集塵フィルタ５２１は、吸込口５１１ａに設けられたプレフィルタ５１１ａｃによって除去されなかった細かな塵埃を除去するためのフィルタである。集塵フィルタ５２１は、矩形状に形成されている。
【０１７５】
集塵フィルタ５２１には、複数の折り目５２１ａで折り返され、複数の“ひだ”が形成されたプリーツフィルタが用いられる（図２５参照）。集塵フィルタ５２１を折り目５２１ａと直交する断面で切断すると、その断面は、連続する複数の山と谷とを有する形状に形成されている。プリーツフィルタを用いることで、“ひだ”が形成されない平板上のフィルタを用いる場合に比べ、同じ設置面積で集塵フィルタ５２１の表面積（通風面積）を大きく確保することができる。
【０１７６】
なお、集塵フィルタ５２１は、プリーツフィルタの折り目５２１ａが延びる方向と、送風装置５１２のスクロールケーシング５１２ｃの舌部５１２ｃａの延びる方向、言い換えれば送風装置５１２のファン５１２ａの回転軸方向、とが、直交するように、フランジ部５１１ｅ上に戴置されている（図２４参照）。
【０１７７】
空気清浄フィルタ５２０の集塵フィルタ５２１は、上述したように、ケーシング５１１の内部に形成されたフランジ部５１１ｅに載置されている。言い換えると、空気清浄フィルタ５２０の集塵フィルタ５２１は、ケーシング５１１にフランジ部５１１ｅで保持される。フランジ部５１１ｅは、集塵フィルタ５２１の空気が通過しない周縁部５２１ｂ（図２５参照）の下面５２１ｂａと接触することで（図２１参照）、空気清浄フィルタ５２０とケーシング５１１の内壁との間の隙間をシールするシール手段として機能する。シール手段は、送風室Ｓ１から空気清浄室Ｓ２に空気が送られる際に、空気清浄フィルタ５２０とケーシング５１１とのシール性を確保する。フランジ部５１１ｅは、空気の流れ方向において、空気清浄フィルタ５２０の上流側に配置される。言い換えると、シール手段は、空気清浄フィルタ５２０の取り外し方向において、空気清浄フィルタ５２０の上流側に配置される。ケーシング５１１への集塵フィルタ５２１の取り付け／取り外しについては後述する。
【０１７８】
（２−３−２）脱臭フィルタ
脱臭フィルタ５２２は、空気に含まれる、臭いの原因となる成分を除去するフィルタである。脱臭フィルタ５２２は、矩形状に形成されたフィルタである。
【０１７９】
脱臭フィルタ５２２は、図２６および図２７に示すように、後述するフィルタケース５２３内に収容されている。脱臭フィルタ５２２は、フィルタケース５２３に着脱可能に構成されている。フィルタケース５２３のケーシング５１１への取り付け状態や、ケーシング５１１への脱臭フィルタ５２２（フィルタケース５２３）の取り付け／取り外しについては後述する。また、脱臭フィルタ５２２の有無を確認するためのフィルタ検知センサ５２５についても後述する。
【０１８０】
（２−４）フィルタケース
フィルタケース５２３は、空気清浄フィルタ５２０を収容する。具体的には、フィルタケース５２３は、空気清浄フィルタ５２０の一部である、脱臭フィルタ５２２を収容する（図２６参照）。
【０１８１】
フィルタケース５２３は、矩形状のリング状部材であり、内部に脱臭フィルタ５２２を収容する。フィルタケース５２３は、収容された脱臭フィルタ５２２の周縁部を上下および側方（外周側）から囲い保持する、略Ｃ字形状断面の側壁部５２３ｂを有する（図２１および図２２参照）。つまり、側壁部５２３ｂは、内周側が開口している。脱臭フィルタ５２２は、側壁部５２３ｂにより全周が囲まれる。フィルタケース５２３の上下の面は大きく開口しており、集塵フィルタ５２１を通過した空気は、フィルタケース５２３に収容された脱臭フィルタ５２２を下方から通過し、脱臭フィルタ５２２の上方へと吹き出す。
【０１８２】
フィルタケース５２３の側壁部５２３ｂの右面には、ケーシング５１１の内壁に設けられた凹部５１１ｇと係合する凸部５２３ａが設けられる。凸部５２３ａは、側壁部５２３ｂの右面の２箇所に設けられる。なお、凸部５２３ａの個数は例示であり、これに限定されるものではなく適宜決定されればよい。ケーシング５１１の内壁に設けられる凹部５１１ｇの数も、凸部５２３ａの個数に合わせて適宜決定されればよい。各凸部５２３ａは、ケーシング５１１に設けられた２箇所の凹部５１１ｇ（図２５参照）の一方に、それぞれ嵌合するように形成されている。
【０１８３】
フィルタケース５２３がケーシング５１１に取り付けられた状態では、凸部５２３ａは凹部５１１ｇと係合し、フィルタケース５２３の左面側は、ケーシング５１１の内部に設けられた支持部５１１ｆに載置される。言い換えると、フィルタケース５２３がケーシング５１１に取り付けられた状態では、フィルタケース５２３は、凸部５２３ａが嵌合する凹部５１１ｇと、支持部５１１ｆとにより下方から支持される。フィルタケース５２３がケーシング５１１に取り付けられた状態では、脱臭フィルタ５２２は、水平な状態で、言い換えれば脱臭フィルタ５２２の厚さ方向と上下方向が一致する状態で、ケーシング５１１に取り付けられる。ケーシング５１１へのフィルタケース５２３の取り付け／取り外しについては後述する。
【０１８４】
フィルタケース５２３の側壁部５２３ｂの左方側中央部には、側壁部５２３ｂが切り欠かれた切り欠き部５２３ｂａが形成されている（図２６参照）。切り欠き部５２３ｂａでは、上部側（上面および側面の上部側）を残して、側壁部５２３ｂが切り欠かれている（図２６参照）。フィルタケース５２３に脱臭フィルタ５２２が収容された状態では、切り欠き部５２３ｂａにおいて、脱臭フィルタ５２２が露出した状態になる。
【０１８５】
なお、フィルタケース５２３は、空気清浄フィルタの上方に配置される気流ガイド５２４を含む。気流ガイド５２４は、フィルタケース５２３と一体に形成されている。
【０１８６】
気流ガイド５２４は、フィルタケース５２３の左方側上方に設けられる（図２２参照）。気流ガイド５２４は、ケーシング５１１に形成された第１開口Ｋ１の上方に設けられる。気流ガイド５２４は、前後の側壁部５２３ｂの左方部から上方に延びる鉛直面５２４ａと、左側の側壁部５２３ｂから上斜め右方に延びる第１ガイド面５２４ｂと、を有する（図２７参照）。第１ガイド面５２４ｂは、空気清浄フィルタ５２０の脱臭フィルタ５２２を通過した空気を後述する加湿ユニット５３０の加湿エレメント５３３に導くための湾曲面である。第１ガイド面５２４ｂを滑らかな曲面で形成することで、圧損の上昇を抑制しつつ、脱臭フィルタ５２２を通過した空気を、第２開口Ｋ２へと、更に加湿エレメント５３３へと導くことができる。気流ガイド５２４の鉛直面５２４ａは、脱臭フィルタ５２２を通過した空気が、気流ガイド５２４の第１ガイド面５２４ｂの前後の隙間を通過して上方に向かい、ケーシング５１１と後述する加湿トレイ５３２との隙間を通過して、ケーシング５１１外へと流出することを防止する。鉛直面５２４ａおよび第１ガイド面５２４ｂは、主に脱臭フィルタ５２２の左方側を通過した空気を、加湿エレメント５３３へと導く。
【０１８７】
気流ガイド５２４の上部には、下方に凹むように形成された凹部５２４ｄが設けられている（図２７参照）。凹部５２４ｄは、下方だけではなく、気流ガイド５２４の左方側の上面５２４ｃの下方にも凹むように形成されている（図２７参照）。凹部５２４ｄは、フィルタケース５２３の取り付け／取り外し時にユーザーが把持する取っ手として機能する。
【０１８８】
ケーシング５１１に空気清浄フィルタ５２０および加湿ユニット５３０を取り付けた状態では、気流ガイド５２４の上面５２４ｃ（図２６および図２７参照）は、後述する加湿ユニット５３０の加湿トレイ５３２の下面５３２ｂと接触する（図２２参照）。このため、送風装置５１２から空気が送風され、空気清浄フィルタ５２０を浮き上がらせる（上方に動かす）力が作用しても、加湿トレイ５３２が空気清浄フィルタ５２０の上方への移動を規制する。つまり、加湿トレイ５３２の下面５３２ｂは、空気清浄フィルタ５２０の上方への移動を規制する移動規制部として機能する。
【０１８９】
（２−５）フィルタ検知センサ
フィルタ検知センサ５２５（図２２参照）は、空気清浄フィルタ５２０がケーシング５１１に取り付けられているか否かを検知するセンサである。具体的には、フィルタ検知センサ５２５は、空気清浄フィルタ５２０の脱臭フィルタ５２２がケーシング５１１に取り付けられているか否かを検知するセンサである。
【０１９０】
フィルタ検知センサ５２５は、主に、検知レバー５２５ａと検知スイッチ５２５ｂとを有する（図２８（ａ），（ｂ）参照）。検知レバー５２５ａは、回転軸５２５ｃ（図２８（ａ），（ｂ）参照）回りに回転可能に構成されている。検知レバー５２５ａの一方側の端部には、検知レバー５２５ａの延びる方向と交差する方向に延び、脱臭フィルタ５２２と接触する接触アーム５２５ｄを有する。検知レバー５２５ａの他方側の端部（接触アーム５２５ｄが設けられた側の端部とは、回転軸５２５ｃを挟んで反対側に配置される端部）には、検知スイッチ５２５ｂと接触する検知スイッチ接触部５２５ａａが設けられている。なお、ここでは、接触アーム５２５ｄは、検知レバー５２５ａから円弧状に延びるが、これに限定されるものではなく、接触アーム５２５ｄは、検知レバー５２５ａの延びる方向と垂直に延びるように形成されてもよい。
【０１９１】
検知レバー５２５ａは、図示しないネジリばねにより回転軸５２５ｃ回りに一方向に（検知スイッチ接触部５２５ａａが検知スイッチ５２５ｂから離れるように）力が作用するように構成されている。接触アーム５２５ｄが脱臭フィルタ５２２に接触していない状態（フィルタケース５２３に脱臭フィルタ５２２が収容されていない状態）では、図２８（ａ）のように、フィルタケース５２３の切り欠き部５２３ｂａを通過して、接触アーム５２５ｄがフィルタケース５２３内に突出した状態となる。この状態では、検知レバー５２５ａの検知スイッチ接触部５２５ａａは、検知スイッチ５２５ｂとは非接触の状態にある。そのため、フィルタケース５２３に脱臭フィルタ５２２が収容されていない状態では、フィルタ検知センサ５２５から、空気清浄機５１０の制御装置（図示せず）に、脱臭フィルタ５２２の存在時に送信される信号が送信されない。このような状態では、制御装置は、空気清浄機５１０に脱臭フィルタ５２２が取り付けられていないと判断し、空気清浄機５１０の運転停止、脱臭フィルタ５２２が取り付けられていない旨の警告の発報等、必要な制御を実行する。なお、ここでは図示および説明は省略するが、脱臭フィルタ５２２だけではなく、フィルタケース５２３がケーシング５１１に取り付けられていない場合にも、検知スイッチ接触部５２５ａａは、検知スイッチ５２５ｂとは非接触の状態になり、制御装置に、脱臭フィルタ５２２の存在時に送信される信号が送信されない。
【０１９２】
一方、フィルタケース５２３に脱臭フィルタ５２２が収容されている状態では、フィルタケース５２３の側壁部５２３ｂの切り欠き部５２３ｂａにおいて、接触アーム５２５ｄが脱臭フィルタ５２２に接触する。そして、検知レバー５２５ａは、図示しないネジリばねの力に打ち勝ち、検知レバー５２５ａの検知スイッチ接触部５２５ａａが検知スイッチ５２５ｂに接触する方向に回転する。検知スイッチ接触部５２５ａａが検知スイッチ５２５ｂと接触すると、検知スイッチ５２５ｂがオンになり、フィルタ検知センサ５２５から、空気清浄機５１０の制御装置に、脱臭フィルタ５２２の存在時に送信される信号が送信される。制御装置は、空気清浄機５１０に脱臭フィルタ５２２が取り付けられていると判断すると、他の異常がなければ、空気清浄機５１０の運転を許可する。
【０１９３】
なお、本空気清浄機５１０は、フィルタの有無を検知するためのセンサとして、脱臭フィルタ５２２の有無を検知するフィルタ検知センサ５２５しか設けられていないが、これに限定されるものではない。例えば、フィルタ検知センサ５２５と同様の原理、又は、他の検出原理を用いたセンサが、集塵フィルタ５２１の有無を検知するために設けられてもよい。ただし、後述するように、本空気清浄機５１０では、集塵フィルタ５２１が存在しない場合には、脱臭フィルタ５２２を収容したフィルタケース５２３を取り付けることが困難となることから、脱臭フィルタ５２２の有無を検知するだけで、集塵フィルタ５２１が取り付けられていない状態も検知することが可能である。
【０１９４】
（２−６）加湿ユニット
加湿ユニット５３０は、供給された水を気化させて空気を加湿する。具体的には、特に加湿ユニット５３０の加湿エレメント５３３が、供給された水を気化させて空気を加湿する。加湿ユニット５３０は、空気の流れ方向において、送風装置５１２および空気清浄フィルタ５２０の下流側に配置される。すなわち、加湿ユニット５３０は、空気清浄フィルタ５２０によって清浄化された空気を加湿する。加湿ユニット５３０は、回転式の加湿ユニットである。加湿ユニット５３０では、加湿エレメント５３３の周縁部が後述する加湿トレイ５３２内に貯留された水の中を通過するように回転させられ、水を含んだ加湿エレメント５３３から水を気化させることで空気を加湿する。
【０１９５】
加湿ユニット５３０は、ケーシング５１１内の加湿室Ｓ３に配置される（図２２参照）。つまり、加湿ユニット５３０は、ケーシング５１１内の上部位置に配置される（図２２参照）。加湿ユニット５３０の後述する加湿タンク５３１、加湿トレイ５３２、および加湿エレメント５３３は、ケーシング５１１から着脱可能に構成されている。加湿タンク５３１、加湿トレイ５３２、および加湿エレメント５３３がケーシング５１１の開口５１５（図２２参照）から取り外されると、ケーシング５１１内の上方位置に大きな空間ができる。具体的に、加湿ユニット５３０がケーシング５１１から取り外されると、加湿室Ｓ３において、空気清浄フィルタ５２０が移動可能な空間が形成される。言い換えると、加湿ユニット５３０がケーシング５１１から取り外されると、空気清浄室Ｓ２の上方に、空気清浄フィルタ５２０を取り外す際の、空気清浄フィルタ５２０の移動経路となる空間が形成される。なお、空気清浄フィルタ５２０の取り付け／取り外しについては後述する。
【０１９６】
加湿ユニット５３０は、図２２および図２３に示すように、主として、加湿タンク５３１、加湿トレイ５３２、および加湿エレメント５３３、を有する。また、加湿ユニット５３０は、加湿エレメント５３３を回転駆動するための加湿用モータ５３４を有する（図２２参照）。加湿用モータ５３４は、ケーシング５１１内に設置されている。一方、加湿タンク５３１、加湿トレイ５３２、および加湿エレメント５３３は、ケーシング５１１から取り外し可能に構成されている。
【０１９７】
（２−６−１）加湿タンク
加湿タンク５３１は、加湿エレメント５３３に供給するための水を貯留する。加湿タンク５３１は、ケーシング５１１の第１側板５１１ｃと一体に形成されている。そのため、ケーシング５１１から第１側板５１１ｃを取り外すことで、加湿タンク５３１が加湿ユニット５３０（加湿トレイ５３２）から着脱されるように構成されている（図３２（ｂ）参照）。
【０１９８】
加湿タンク５３１は、加湿トレイ５３２の左方側に配置される。加湿トレイ５３２はケーシング５１１の左方側に配置されることから、加湿タンク５３１は、ケーシング５１１の左方側に配置される。
【０１９９】
本空気清浄機５１０では、前述のように重量物である送風装置５１２のファンモータ５１２ｂは、ケーシング５１１の右方側に配置される（図２２参照）。一方で、重量物である加湿タンク５３１は、ケーシング５１１の左方側に配置されている（図２２参照）。つまり、ファンモータ５１２ｂは、空気清浄フィルタ５２０の中心に対して一側方（右方）にずれており、加湿タンク５３１は、空気清浄フィルタ５２０の中心に対して前述の一側方とは反対側（左方）にずれている。このように、大きな重量のファンモータ５１２ｂと加湿タンク５３１とが上面視において同一側に偏っておらず、互いに反対方向に離れているため、本空気清浄機５１０は重量バランスがよい。
【０２００】
加湿タンク５３１は、注水口５３１ａを有する。注水口５３１ａには、図示しない給水弁が取り付けられる。給水弁は、弁体をバネによって弁口に押し付ける一般的な構造であるので、ここでは給水弁の詳細な説明を省略する。
【０２０１】
加湿タンク５３１は、使用時には、加湿トレイ５３２の左方側の、後述するタンク受け部５３２ｃに配置される。具体的に、加湿タンク５３１は、注水口５３１ａを下方にした状態で、加湿トレイ５３２のタンク受け部５３２ｃに装着される。加湿タンク５３１がタンク受け部５３２ｃに装着されると、下方を向いた注水口５３１ａの給水弁に、加湿トレイ５３２に設けられた押し込みピン（図示せず）が押し当てられる。そして、加湿タンク５３１の重みにより、給水弁が押し込みピンにより押されて弁口が押し開けられ、注水口５３１ａが開いた状態になる。その結果、後述する加湿トレイ５３２に水が供給され、加湿エレメント５３３を浸漬させるための水が加湿トレイ５３２の所定の高さまで溜められる。
【０２０２】
加湿タンク５３１は、右方側から見ると概ね矩形状に形成されている（図２１参照）。また、加湿タンク５３１は、前方側から見ると、左方側は概ね鉛直方向に延びる平面状に形成されている（図２２参照）。また、加湿タンク５３１は、前方側から見ると、右方側は曲面状に形成されている（図２２参照）。加湿タンク５３１の曲面状に形成された右側面５３１ｂ（図２２参照）は、加湿エレメント５３３を通過した空気を、吹出口５１１ｂへと導くガイド面として機能する。具体的には、右側面５３１ｂの下部（右側面下部５３１ｂａ）は、左下方側に凹む湾曲面である。右側面下部５３１ｂａは、左方側ほど高くなるように形成された曲面である（図２２参照）。右側面下部５３１ｂａは、左方側ほど傾斜が鉛直に近づくように傾きが変化する曲面である（図２２参照）。右側面５３１ｂの上部（右側面上部５３１ｂｂ）は、右側面下部５３１ｂａと滑らかに接続された鉛直面である（図２２参照）。右側面５３１ｂが、このような形状に形成されることで、加湿エレメント５３３を上斜め左向きに通過した空気が、大きな圧力損失を生じることなくケーシング５１１の上部の吹出口５１１ｂへと導かれる。
【０２０３】
（２−６−２）加湿トレイ
加湿トレイ５３２は、加湿タンク５３１から供給された水を受け取り、一時的に貯留する。加湿トレイ５３２には、具体的には、後述する加湿エレメント５３３に供給される水が貯留される。ケーシング５１１の第２側板５１１ｄは、加湿トレイ５３２の左方側の側壁を兼ねる。
【０２０４】
加湿トレイ５３２は、加湿エレメント５３３の下方に配置されている（図２２参照）。加湿トレイ５３２は、図２２に示すように、側方（図２２では前方）から見た時に、概ねＵ字状に形成されている。加湿トレイ５３２は、ケーシング５１１の左方側に配置される（図２２参照）。加湿トレイ５３２の右方側の側壁と、ケーシング５１１の内壁との間に第２開口Ｋ２が形成される（図２２参照）。
【０２０５】
加湿トレイ５３２は、加湿トレイ５３２の右方側の下部の角部に、空気清浄フィルタ５２０を通過した空気を、加湿エレメント５３３へと導く湾曲した第２ガイド面５３２ａを有する（図２２参照）。言い換えれば、加湿トレイ５３２は、第２開口Ｋ２と隣接する加湿トレイ５３２の下部側の角部に、空気清浄フィルタ５２０を通過した空気を、加湿エレメント５３３へと導く湾曲した第２ガイド面５３２ａを有する（図２２参照）。具体的には、加湿トレイ５３２の右方側の下部の角部に曲面加工が施されている。
【０２０６】
前述した気流ガイド５２４の第１ガイド面５２４ｂと、第２ガイド面５３２ａとは、気流ガイド５２４と加湿トレイ５３２との間に生じる僅かな隙間Ｇを挟んで連続したカーブを描く。なお、加湿トレイ５３２の下面５３２ｂは、ケーシング５１１内に加湿ユニット５３０および空気清浄フィルタ５２０が取り付けられた状態で、空気清浄フィルタ５２０の上方への移動を規制する移動規制部として機能する。言い換えれば、移動規制部としての加湿トレイ５３２の下面５３２ｂは、気流ガイド５２４の上面５２４ｃと接触して、空気清浄フィルタ５２０の上方への移動を規制する。そのため、気流ガイド５２４と加湿トレイ５３２との間に生じる隙間はごく狭い。そのため、脱臭フィルタ５２２を通過し、第１ガイド面５２４ｂにガイドされた空気の大半は、第２開口Ｋ２に案内され加湿エレメント５３３へと導かれる。言い換えれば、第１ガイド面５２４ｂにガイドされた空気のほとんどは、気流ガイド５２４と加湿トレイ５３２との隙間を流れ、第１側板５１１ｃや第２側板５１１ｄと、ケーシング５１１との隙間等からケーシング５１１外に流出することがない。
【０２０７】
加湿トレイ５３２は、左方側に加湿タンク５３１を受け入れるタンク受け部５３２ｃを有する（図２３参照）。タンク受け部５３２ｃには、注水口５３１ａを下に向けた状態の加湿タンク５３１が配置される（図２２参照）。タンク受け部５３２ｃに装着される加湿タンク５３１の注水口５３１ａの給水弁は、タンク受け部５３２ｃに設けられた押し込みピン（図示せず）に押し当てられる。そして、加湿タンク５３１の重みによって、給水弁が押し込みピンにより押されて弁口が押し開けられ、注水口５３１ａが開状態になり、加湿トレイ５３２に水が供給される。
【０２０８】
加湿タンク５３１から供給された水は、加湿トレイ５３２の右方側の水供給部５３２ｄに供給される（図２３参照）。水供給部５３２ｄは、加湿エレメント５３３の下方に配置される（図２２参照）。水供給部５３２ｄは、タンク受け部５３２ｃにおいて加湿タンク５３１から供給された水を、加湿エレメント５３３に供給する部分である。
【０２０９】
水供給部５３２ｄと、タンク受け部５３２ｃとは、図示しない隔壁によって仕切られている。隔壁には切り欠きが形成されており、加湿タンク５３１からタンク受け部５３２ｃに供給された水は、切り欠きを介して水供給部５３２ｄに送られる。すなわち、ケーシング５１１の左面側に配置されたタンク受け部５３２ｃに供給された水は、その後、ケーシング５１１の右方側の水供給部５３２ｄへと送られる。水供給部５３２ｄには、加湿エレメント５３３を浸漬させるために、所定水位まで水が溜められる。水供給部５３２ｄの水位は、加湿タンク５３１内に水がある場合には、所定水位で維持されるように自動的に調節される。
【０２１０】
加湿トレイ５３２は、軸受部５３２ｅを有する（図２９参照）。軸受部５３２ｅは、後述する加湿エレメント５３３のロータ回転軸５３３ｃ（図２９参照）を回転自在に軸支する。なお、軸受部５３２ｅは、メンテナンス時等に加湿エレメント５３３を取り外すことができるように、ロータ回転軸５３３ｃを着脱自在に構成されている。具体的には、軸受部５３２ｅは、上方に開口するＵ字形状に形成されており、Ｕ字形状の開口部からからロータ回転軸５３３ｃの取り付け／取り外しが可能に構成されている（図２９参照）。
【０２１１】
加湿トレイ５３２の水供給部５３２ｄの前後の側面には、ガイドピン５３２ｆが各１本設けられている（図２９参照）。加湿トレイ５３２をケーシング５１１に取り付ける際には、ケーシング５１１の前後の内壁に設けられたＣ字形状のガイド５１１ｉ（図２９参照）に、Ｃ字形状の開口部からガイドピン５３２ｆがはめ込まれるように、加湿トレイ５３２がケーシング５１１の内部に押し込まれることで、加湿トレイ５３２が容易に所定の位置にセットされる。
【０２１２】
（２−６−３）加湿エレメント
加湿エレメント５３３は、供給された水を気化させて空気を加湿する。具体的には、加湿エレメント５３３は、加湿トレイ５３２に溜められた水の供給を受け、供給された水を気化させて空気を加湿する。
【０２１３】
加湿エレメント５３３は、加湿トレイ５３２の右方側に配置される。具体的には、加湿エレメント５３３は、加湿トレイ５３２の右方側に設けられた水供給部５３２ｄの上方に配置される。
【０２１４】
加湿エレメント５３３は、円形状に形成されている。加湿エレメント５３３は、主として、加湿フィルタ５３３ａ、加湿ロータ５３３ｂ、およびロータ回転軸５３３ｃを有する（図２９参照）。
【０２１５】
加湿フィルタ５３３ａは、不織布で形成された気化材である。加湿フィルタ５３３ａは、円形状に形成されている。加湿フィルタ５３３ａは、加湿トレイ５３２から供給される水を含み、水を気化させることにより空気を加湿する。
【０２１６】
加湿ロータ５３３ｂは、加湿フィルタ５３３ａの外周縁を囲んで、加湿フィルタ５３３ａを保持するフレームである。加湿ロータ５３３ｂは、加湿ロータ５３３ｂの中心に配置されるロータ回転軸５３３ｃと連結されている。
【０２１７】
ロータ回転軸５３３ｃは、一方側（左方側）は加湿トレイ５３２に設けられた軸受部５３２ｅにより回転自在に支持されている。他方側（右方側）には、六角形形状の連結部５３３ｄが形成されている。また、右方側の端部には、連結部５３３ｄと連続し、端部ほど細くなるように形成された先端部５３３ｅが形成されている。
【０２１８】
加湿トレイ５３２のケーシング５１１への取り付け時には、ロータ回転軸５３３ｃが、先端部５３３ｅ側から後述する加湿用モータ５３４の連結受部５３４ｂの穴５３４ｂａに挿入される（図２９参照）。そして、ロータ回転軸５３３ｃが、連結部５３３ｄが連結受部５３４ｂに到達するまで穴５３４ｂａに挿入されることで、連結部５３３ｄと連結受部５３４ｂとは連結される。具体的には、連結受部５３４ｂの穴５３４ｂａは、連結部５３３ｄの外形とほぼ同じ六角形形状の穴であり、連結部５３３ｄを連結受部５３４ｂに形成された穴５３４ｂａに挿入することで、連結受部５３４ｂに連結部５３３ｄが嵌合し、両者が連結される。連結受部５３４ｂと連結部５３３ｄとが連結されることで、ロータ回転軸５３３ｃと、後述する加湿用モータ５３４の駆動軸５３４ａとが連結される。そして、加湿用モータ５３４が駆動され、駆動軸５３４ａが回転すると、ロータ回転軸５３３ｃも回転する。なお、ここでは連結部５３３ｄと連結受部５３４ｂの穴５３４ｂａとが、六角形形状に形成されていることから、駆動軸５３４ａが回転した時に、連結受部５３４ｂは連結部５３３ｄに対して空回りすることなく回転する。
【０２１９】
なお、ここでは、ロータ回転軸５３３ｃが端部ほど細くなるように形成された先端部５３３ｅを有しているため、先端部５３３ｅがガイドとして機能し、ロータ回転軸５３３ｃを連結受部５３４ｂの穴５３４ｂａに挿入することが容易である。
【０２２０】
後述する加湿用モータ５３４からロータ回転軸５３３ｃに回転駆動力が伝達され、加湿エレメント５３３が回転すると、加湿エレメント５３３の加湿フィルタ５３３ａの周縁部が、加湿トレイ５３２の水供給部５３２ｄに溜まった水の中を通過する。加湿フィルタ５３３ａの周縁部が、加湿トレイ５３２の水供給部５３２ｄに溜まった水の中を通過する時、加湿フィルタ５３３ａは水供給部５３２ｄから水の供給を受ける。加湿エレメント５３３が回転することで、水供給部５３２ｄの上方に移動した加湿フィルタ５３３ａ部分には、送風装置５１２により送風された空気（空気清浄フィルタ５２０を通過した空気）が供給される。空気が加湿フィルタ５３３ａを通過する際、加湿フィルタ５３３ａに含まれていた水が気化し、これにより空気の加湿が行われる。
【０２２１】
（２−６−４）加湿用モータ
加湿用モータ５３４は、加湿エレメント５３３を回転駆動するためのモータである。
【０２２２】
加湿用モータ５３４は、ケーシング５１１内に設置されている。具体的には、加湿用モータ５３４は、加湿ユニット５３０の右方側において、ケーシング５１１に固定されている。
【０２２３】
加湿用モータ５３４は、駆動軸５３４ａに駆動力を伝達するように構成されている（図２２参照）。加湿用モータ５３４が回転すると、駆動軸５３４ａが回転する。
【０２２４】
駆動軸５３４ａは、左方側に連結受部５３４ｂを有する（図２２参照）。連結受部５３４ｂには、六角形形状の穴５３４ｂａが形成されている（図２９参照）。穴５３４ｂａの形状は、ロータ回転軸５３３ｃの断面形状とほぼ同一の形状である。なお、穴５３４ｂａは、ロータ回転軸５３３ｃの連結部５３３ｄが挿入できるように、連結部５３３ｄの断面形状よりは若干大きな六角形形状に形成されている。前述のように、ロータ回転軸５３３ｃの連結部５３３ｄが穴５３４ｂａに挿入されることで、駆動軸５３４ａとロータ回転軸５３３ｃとが連結される。
【０２２５】
（３）空気清浄機の動作および空気の流れ
以下、図３０および図３１を用いて、空気清浄機５１０の動作および空気清浄機５１０の動作に伴う空気の流れについて説明する。図３０および図３１中では、空気の流れを一点鎖線の矢印で示している。
【０２２６】
空気清浄機５１０の電源がオンに設定されると、送風装置５１２のファンモータ５１２ｂがファン５１２ａを回転させる。回転するファン５１２ａは空気を遠心方向に吹き出すため、ファン５１２ａの回転軸周りの圧力が低下し、ファン５１２ａの中心に位置するファン吸込口に空気が吸い込まれる。その結果、吸込口５１１ａからファン５１２ａの中心に位置するファン吸込口に向かう空気の流れが発生する。つまり、ファン５１２ａが回転することで、左面下部および右面下部に形成された吸込口５１１ａから、送風室Ｓ１内に空気が吸い込まれる。なお、この時、比較的大きな塵埃については、吸込口５１１ａに配置されたプレフィルタ５１１ａｃにより除去される。
【０２２７】
送風装置５１２のファン５１２ａの複数の羽根５１２ａｂ（図２４参照）から遠心方向に吹き出され、遠心方向に吹き出す空気は、スクロールケーシング５１２ｃにより第１開口Ｋ１へと導かれ、第１開口Ｋ１から空気清浄室Ｓ２内に送られる（図３０参照）。
【０２２８】
空気清浄室Ｓ２に送られた空気は、先ず、空気清浄フィルタ５２０の内、空気の流れ方向の上流側に配置された集塵フィルタ５２１を通過する。集塵フィルタ５２１は、空気に含まれる塵埃を除去する。
【０２２９】
集塵フィルタ５２１を通過した空気は、更に空気の流れ方向の下流側の脱臭フィルタ５２２を通過する。脱臭フィルタ５２２によって、臭いの原因となる成分が脱臭フィルタ５２２に除去される。
【０２３０】
空気清浄フィルタ５２０を通過した空気は、その後、第２開口Ｋ２を通過して加湿室Ｓ３に送られる。この時、特に、脱臭フィルタ５２２の左方側を通過した空気は、気流ガイド５２４の第１ガイド面５２４ｂおよび加湿トレイ５３２の下部に形成された第２ガイド面５３２ａにより滑らかに第２開口Ｋ２へと導かれる（図３０参照）。なお、上述のように、気流ガイド５２４の上面５２４ｃと、加湿トレイ５３２の下面５３２ｂとは接触する関係にあるため、気流ガイド５２４と加湿トレイ５３２との間に隙間はほとんど形成されず、この隙間を通り、空気がケーシング５１１の開口と、第１側板５１１ｃや第２側板５１１ｄとの隙間を通ってケーシング５１１外に空気が逃げることはほとんどない。第１ガイド面５２４ｂおよび第２ガイド面５３２ａは、僅かな隙間Ｇを挟んで連続したカーブを描き、このカーブに沿って空気が滑らかに第２開口Ｋ２へと導かれる（図３０参照）。
【０２３１】
加湿室Ｓ３に送られた空気は、上方に向かって流れ、ケーシング５１１の上方に設けられた整流板５１１ｈによって、加湿エレメント５３３へと誘導される。なお、整流板５１１ｈにはバイパス開口５１１ｈａが２箇所に形成されているため（図３１参照）、空気の一部（例えば加湿室Ｓ３に流入した空気の２０％）は、バイパス開口５１１ｈａを通過して、加湿エレメント５３３は通過することなく、ケーシング５１１外へ導かれる（図３１参照）。整流板５１１ｈの加湿室Ｓ３とは反対側の面にはイオン発生器５４０が配置されており、イオン発生器５４０が発生したプラズマイオンは、バイパス開口５１１ｈａを通過した空気と共にケーシング５１１外に運ばれる。
【０２３２】
空気清浄機５１０の加湿機能が機能している場合、加湿用モータ５３４により加湿エレメント５３３が回転する。加湿エレメント５３３は、加湿トレイ５３２の水供給部５３２ｄにおいて、加湿エレメント５３３の下部が水中に浸漬するように配置されているので、加湿エレメント５３３が回転することによって、加湿フィルタ５３３ａの新たに水中に浸漬される部分が、加湿トレイ５３２の水を吸い上げる。加湿エレメント５３３を通過する空気は、加湿フィルタ５３３ａに浸み込んだ水の気化を促進させる。これにより、空気は加湿空気となる。
【０２３３】
加湿エレメント５３３を通過した加湿された空気は、加湿タンク５３１の右側面５３１ｂが空気のガイド面として機能することで、上斜め左方向の空気の流れは、垂直上向きの空気の流れとなって、吹出口５１１ｂから吹き出される（図３０参照）。
【０２３４】
なお、以上では、加湿機能がオンに設定される場合について説明したが、加湿機能がオフに設定される場合には、加湿エレメント５３３は回転せず、加湿エレメント５３３を通過する空気は、ほとんど加湿されることなく吹出口５１１ｂから吹き出される。
【０２３５】
（４）加湿ユニットおよび空気清浄フィルタの取り外し
次に、主に図３２および図３３を参照して、加湿ユニット５３０および空気清浄フィルタ５２０の取り外しについて説明する。図３２は、ケーシング５１１から加湿ユニット５３０および空気清浄フィルタ５２０を取り外す、取り外し作業を描画している。図３２では、ケーシング５１１の内部を前方向から見た断面図を用いて、加湿ユニット５３０および空気清浄フィルタ５２０の取り外し作業を描画している。図３３は、ケーシング５１１から加湿ユニット５３０を取り外す、取り外し作業を描画している。図３３では、ケーシング５１１を左前方から見た斜視図を用いて、加湿ユニット５３０の取り外し作業を描画している。
【０２３６】
図３２（ａ）および図３３（ａ）は、加湿ユニット５３０および空気清浄フィルタ５２０の取り外し作業開始前の空気清浄機５１０を示す。
【０２３７】
加湿ユニット５３０および空気清浄フィルタ５２０を取り外す際には、まず、ユーザーは第１側板５１１ｃの取っ手５１１ｃａを把持し、図３２（ｂ）および図３３（ｂ）に示すように、第１側板５１１ｃを、第１側板５１１ｃの上部が左方に傾くように開く。そして、第１側板５１１ｃと一体に形成された加湿タンク５３１を上斜め左方に抜き出すことで、加湿タンク５３１がケーシング５１１から取り外される（図３２（ｂ），図３３（ｃ）参照）。
【０２３８】
次に、図３２（ｃ）および図３３（ｄ）に示すように、加湿トレイ５３２がケーシング５１１から取り外される。具体的には、ユーザーは、加湿トレイ５３２の一部を構成する第２側板５１１ｄに設けられた取っ手５１１ｄａを把持し、加湿トレイ５３２を手前側（左側）に引き出す。この時、加湿エレメント５３３のロータ回転軸５３３ｃの連結部５３３ｄは、加湿用モータ５３４と連結された駆動軸５３４ａに設けられた連結受部５３４ｂから取り外される。ここでは、連結部５３３ｄは連結受部５３４ｂの穴５３４ｂａに挿入されているだけで、特に固定部材（例えばネジなど）により固定されていないため、連結部５３３ｄを穴５３４ｂａから容易に引きぬくことができる（図２９参照）。また、ここでは、加湿トレイ５３２の側面に設けられたガイドピン５３２ｆが、ケーシング５１１の内面に形成されたガイド５１１ｉに沿って移動するため、ユーザーはスムーズに加湿トレイ５３２を左方側に水平に引き出すことができる（図２９参照）。
【０２３９】
このようにして加湿エレメント５３３が軸受部５３２ｅに装着された加湿トレイ５３２をケーシング５１１から取り外すことで、ケーシング５１１の左方の開口５１５が大きく開いた状態になる（図３２（ｄ）および図３３（ｄ）参照）。また、加湿トレイ５３２が取り外されたケーシング５１１内の上部には、広い空間が形成される。言い換えると、ケーシング５１１から加湿トレイ５３２および加湿エレメント５３３が取り外されたことにより、加湿室Ｓ３に、空気清浄フィルタ５２０を移動させることが可能な空間が確保される。
【０２４０】
その後、図３２（ｄ）に示すように、まず空気清浄フィルタ５２０の脱臭フィルタ５２２がケーシング５１１から取り外される。具体的には、ユーザーは、フィルタケース５２３と一体に形成された気流ガイド５２４の上面の凹部５２４ｄを把持して、フィルタケース５２３をケーシング５１１の支持部５１１ｆから上方に持ちあげるとともに、フィルタケース５２３の右面に設けられた凸部５２３ａをケーシング５１１の凹部５１１ｇから抜き出す。次に、ユーザーは、凹部５２４ｄを把持して、フィルタケース５２３を脱臭フィルタ５２２の厚み方向（上方向）に移動させた後、加湿室Ｓ３内を移動させてケーシング５１１内部から取り外す。言い換えると、脱臭フィルタ５２２は、空気の流れ方向下流側に向けて引き上げられ、その後、開口５１５からケーシング５１１の外に取り出される。
【０２４１】
最後に、図３２（ｅ）に示すように、空気清浄フィルタ５２０の集塵フィルタ５２１がケーシング５１１から取り外される。具体的には、ユーザーは、集塵フィルタ５２１を、ケーシング５１１のフランジ部５１１ｅから持ちあげ、集塵フィルタ５２１の厚み方向（上方向）に移動させた後、加湿室Ｓ３内を移動させてケーシング５１１から取り外す。言い換えると、集塵フィルタ５２１は、空気の流れ方向下流側に向けて引き上げられ、その後、開口５１５を介してケーシング５１１の外に取り出される。
【０２４２】
（５）加湿ユニットおよび空気清浄フィルタの取り付け
次に、加湿ユニット５３０および空気清浄フィルタ５２０の取り付けについて説明する。なお、図３２および図３３内の図を逆の順序で見れば、加湿ユニット５３０および空気清浄フィルタ５２０の取り付け作業を描画することとなるので、ここでは加湿ユニット５３０および空気清浄フィルタ５２０の取り付け作業の状態を描画した図面は省略する。
【０２４３】
空気清浄フィルタ５２０および加湿ユニット５３０が全て取り外された状態を基準に、加湿ユニット５３０および空気清浄フィルタ５２０の取り付けを説明する。
【０２４４】
まず、初めに、空気清浄フィルタ５２０の集塵フィルタ５２１がケーシング５１１内に取り付けられる。具体的には、ユーザーは、集塵フィルタ５２１を、開口５１５から加湿室Ｓ３内に挿入した後、下方に移動させて、ケーシング５１１のフランジ部５１１ｅに戴置する（図３２（ｄ），（ｅ）参照）。
【０２４５】
次に、ユーザーは、集塵フィルタ５２１の上方において、フィルタケース５２３に収容された脱臭フィルタ５２２をケーシング５１１に取り付ける。
【０２４６】
具体的には、ユーザーは、フィルタケース５２３と一体に形成された気流ガイド５２４の凹部５２４ｄを把持し、右方側を下げた状態で、フィルタケース５２３を、開口５１５から加湿室Ｓ３内に挿入する。その後、ユーザーは、フィルタケース５２３の下面の右方側を、集塵フィルタ５２１の周縁部５２１ｂ（図２５参照）の上面５２１ｂｂ（図３２（ｄ）参照）に摺動させながら、フィルタケース５２３を左方側から右方側に向かって移動させる。また、この時、ユーザーは、フィルタケース５２３の左方側を次第に下方に下ろしながら、フィルタケース５２３を左方側から右方側に向かって移動させる。フィルタケース５２３は、集塵フィルタ５２１上を、フィルタケース５２３に形成された凸部５２３ａが、ケーシング５１１に設けられた凹部５１１ｇに嵌合するまで右方に動かされる。凸部５２３ａが凹部５１１ｇに嵌合した状態では、フィルタケース５２３の左方側を下降させ、支持部５１１ｆに戴置することができる。一方、凸部５２３ａが凹部５１１ｇに嵌合していない状態では、フィルタケース５２３の左方側がケーシング５１１の内面と干渉し、フィルタケース５２３をケーシング５１１内に収容できない。
【０２４７】
なお、仮に、集塵フィルタ５２１を取り付けられていない状態で、フィルタケース５２３を取り付けようとする場合には、下方側でフィルタケース５２３を支持する構造が存在せず、フィルタケース５２３の凸部５２３ａを凹部５１１ｇへとガイドする構造が存在しない。そのため、集塵フィルタ５２１を取り付けないままにフィルタケース５２３を取り付けようとすると、図３４のようにフィルタケース５２３の右方側が容易に下方に落ち込んでしまい、フィルタケース５２３を正しい位置に取り付けることが困難である。
【０２４８】
フィルタケース５２３に収容された脱臭フィルタ５２２が、ケーシング５１１に取り付けられた状態、すなわち、フィルタケース５２３の凸部５２３ａがケーシング５１１の凹部５１１ｇに嵌合し、フィルタケース５２３の左方側が支持部５１１ｆに支持された状態では、フィルタケース５２３は、集塵フィルタ５２１の周縁部５２１ｂ（図２５参照）の上面５２１ｂｂ（図２１参照）と接触した状態にある。さらに後述するように、加湿トレイ５３２および加湿タンク５３１がケーシング５１１に取り付けられた状態では、加湿トレイ５３２の下面５３２ｂは、フィルタケース５２３と一体に形成された気流ガイド５２４の上面５２４ｃと接触した状態にある。フィルタケース５２３の上方への移動が、加湿トレイ５３２および加湿タンク５３１により規制され、更にフィルタケース５２３と集塵フィルタ５２１の周縁部５２１ｂの上面５２１ｂｂとが接触した状態にあることで、空気の流れにより集塵フィルタ５２１に浮き上がるような力が作用しても、集塵フィルタ５２１の上方への移動が妨げられる。
【０２４９】
空気清浄フィルタ５２０の取り付けが終了すると、加湿トレイ５３２がケーシング５１１に取り付けられる（図３２（ｃ）、図３３（ｄ）参照）。具体的には、ユーザーは、加湿トレイ５３２の一部を構成する第２側板５１１ｄに設けられた取っ手５１１ｄａを把持し、加湿トレイ５３２に設けられたガイドピン５３２ｆが、ケーシング５１１の前後の内壁に設けられたガイド５１１ｉに嵌り込み、加湿エレメント５３３のロータ回転軸５３３ｃの先端部５３３ｅが、加湿用モータ５３４と連結された駆動軸５３４ａの連結受部５３４ｂの穴５３４ｂａに挿入されるように（図２９参照）、加湿トレイ５３２を右方に向かって水平に動かす。ここでは、ガイド５１１ｉおよび連結受部５３４ｂがガイドとして機能し、加湿トレイ５３２を水平方向に移動させることが容易である。なお、連結部５３３ｄが穴５３４ｂａに挿入される際に、連結部５３３ｄの六角形形状の向きと、六角形形状の穴５３４ｂａの向きとが一致していない場合には、加湿エレメント５３３が、連結部５３３ｄの六角形形状の向きと六角形形状の穴５３４ｂａの向きとが一致するように回転し、これにより連結部５３３ｄと連結受部５３４ｂとが連結される。
【０２５０】
加湿トレイ５３２がケーシング５１１に取り付けられた状態では、加湿トレイ５３２の下面５３２ｂは、フィルタケース５２３と一体に形成された気流ガイド５２４の上面５２４ｃと接触した状態にある。加湿トレイ５３２と気流ガイド５２４の上面５２４ｃとが接触した状態にあることで、空気の流れにより空気清浄フィルタ５２０に浮き上がるような力が作用しても、空気清浄フィルタ５２０の上方への移動が妨げられる。つまりここでは、加湿トレイ５３２の下面５３２ｂが、空気清浄フィルタ５２０の上方への移動を規制する移動規制部として機能する。
【０２５１】
最後に、ユーザーは第１側板５１１ｃの取っ手５１１ｃａを把持し、加湿タンク５３１と一体に形成された第１側板５１１ｃの下部側を、第１側板５１１ｃの上部が左方に傾くような状態で第２側板５１１ｄの上部側に係合させる（図３２（ｂ）、図３３（ｂ）参照）。次に、第１側板５１１ｃが鉛直になるように立てることで、ケーシング５１１の開口５１５が閉じられる（図３２（ａ）、図３３（ａ）参照）。
【０２５２】
（６）特徴
（６−１）
上記実施形態に係る空気清浄機５１０は、空気清浄フィルタ５２０と、加湿ユニット５３０と、ファン５１２ａと、ケーシング５１１と、を備える。空気清浄フィルタ５２０は、空気に含まれる塵埃を除去する。加湿ユニット５３０は、供給された水を気化させて空気を加湿する。送風装置５１２は、空気清浄フィルタ５２０および加湿ユニット５３０に向けて送風する。詳細には、送風装置５１２は、空気清浄フィルタ５２０および加湿フィルタ５３３ａに対して送風する。ケーシング５１１は、加湿ユニット５３０、空気清浄フィルタ５２０、およびファン５１２ａを収納する。ケーシング５１１は、加湿ユニット５３０を着脱するための開口５１５を有する。加湿ユニット５３０は、空気清浄フィルタ５２０の取り外し方向において、空気清浄フィルタ５２０の下流側に並んで配置される。開口５１５は、加湿ユニット５３０を取り外した後、空気清浄フィルタ５２０の取り外しを可能にする。
【０２５３】
上記実施形態に係る空気清浄機５１０では、加湿ユニット５３０の着脱用の開口５１５が、空気清浄フィルタ５２０の着脱用の開口５１５としても用いられる。具体的には、空気清浄フィルタ５２０の取り外し方向において、加湿ユニット５３０が空気清浄フィルタ５２０よりも下流側に配置されている。空気清浄フィルタ５２０は、加湿ユニット５３０が開口５１５を介して取り外された後、同じ開口５１５を介してケーシング５１１から取り外すことができる。すなわち、一つの開口５１５を加湿ユニット５３０の着脱および空気清浄フィルタ５２０の着脱の両方に用いることができる。その結果、開口の数を抑えることができ、ケーシング５１１の高い気密性を得ることができる。また、複数の開口や扉を設ける必要が無いため、製造工数を減らすことができる。
【０２５４】
（６−２）
上記実施形態に係る空気清浄機５１０は、空気清浄フィルタ５２０の取り外し方向は、空気清浄フィルタ５２０の厚み方向である。つまり、ここでは、空気清浄フィルタ５２０の取り外し方向は、上下方向である。
【０２５５】
上記実施形態に係る空気清浄機５１０においては、空気清浄フィルタ５２０が、空気清浄フィルタ５２０の厚み方向に取り外される。そのため、空気清浄フィルタ５２０がケーシング５１１から水平方向に引き出される場合に比べ、空気清浄フィルタ５２０とケーシング５１１との磨耗（空気清浄フィルタ５２０とケーシング５１１との間にシール材を挟み込む場合にはシール材の摩耗）が生じにくい。その結果、一定の気密性を長期間確保することができる。
【０２５６】
また、上記実施形態に係る空気清浄機５１０では、加湿ユニット５３０が取り外された後に形成される大きな空間を利用して空気清浄フィルタ５２０を取り外すことができる。これにより、空気清浄フィルタ５２０を容易に取り外すことができる。
【０２５７】
（６−３）
上記実施形態に係る空気清浄機５１０は、取り外し方向において空気清浄フィルタ５２０の上流側に、空気清浄フィルタ５２０とケーシング５１１との間の隙間をシールするシール手段としてのフランジ部５１１ｅを備える。
【０２５８】
具体的に、空気清浄フィルタ５２０は、ケーシング５１１の内側に形成されたフランジ部５１１ｅの上に載置される。これにより、ケーシング５１１に対する空気清浄フィルタ５２０のがたつきを抑えることができる。なお、空気清浄フィルタ５２０とケーシング５１１との間には、更にシール材が配置されてもよい。
【０２５９】
（６−４）
上記実施形態に係る空気清浄機５１０は、加湿ユニット５３０が、水を貯留する加湿タンク５３１と、加湿タンク５３１から水を受け取るトレイ５３２と、加湿トレイ５３２から供給される水を含み、水を気化させることにより空気を加湿する加湿フィルタ５３３ａと、を有する。
【０２６０】
加湿ユニット５３０の加湿タンク５３１、加湿トレイ５３２および加湿エレメント５３３がケーシング５１１から取り外されると、ケーシング５１１内には、空気清浄フィルタ５２０の上方に大きな空間が形成される。したがって、空気清浄機５１０のメンテナンス時に、空気清浄フィルタ５２０を取り外すための十分な空間を確保することができる。また、空気清浄機５１０の運転時には、加湿ユニット５３０で空気清浄フィルタ５２０を抑えることができる。これにより、空気清浄フィルタ５２０の安定性を確保することができる。
【０２６１】
（６−５）
上記実施形態に係る空気清浄機５１０では、ケーシング５１１内において、加湿ユニット５３０は、空気清浄フィルタ５２０の上方に配置される。加湿ユニット５３０は、移動規制部として加湿トレイ５３２の下面５３２ｂを有する。加湿トレイ５３２の下面５３２ｂは、ケーシング５１１内に加湿ユニット５３０および空気清浄フィルタ５２０が取り付けられた状態で、空気清浄フィルタ５２０の上方への移動を規制する。
【０２６２】
ここでは、加湿ユニット５３０が空気清浄フィルタ５２０の上方への移動を規制するため、空気清浄フィルタ５２０の移動を規制するための専用部材を設けることなく、簡易な構成で空気清浄フィルタ５２０の浮き上がりを防止できる。また、移動を規制するための専用部材を設ける場合に比べ、部品点数を抑制できる。
【０２６３】
（６−６）
上記実施形態に係る空気清浄機５１０は、空気清浄フィルタ５２０を収容する、具体的には空気清浄フィルタ５２０の脱臭フィルタ５２２を収容する、フィルタケース５２３を備える。フィルタケース５２３は、空気清浄フィルタ５２０を通過した空気を加湿ユニット５３０へと導く気流ガイド５２４を含む。加湿トレイ５３２の下面５３２ｂは、気流ガイド５２４の上部（気流ガイド５２４の上面５２４ｃ）に接触する。
【０２６４】
ここでは、フィルタケース５２３の気流ガイド５２４の上面５２４ｃに加湿トレイ５３２の下面５３２ｂが接触することで空気清浄フィルタ５２０の上方への移動が規制されるため、簡易な構成で空気清浄フィルタ５２０の浮き上がりを防止することができる。また、気流ガイド５２４と加湿トレイ５３２の下面５３２ｂとが接触する関係にあることで、気流ガイド５２４と加湿トレイ５３２の下面５３２ｂとの間を空気が通過し難く、空気清浄フィルタ５２０を通過した空気が意図しない経路へと導かれることを防止できる。
【０２６５】
（６−７）
上記実施形態に係る空気清浄機５１０では、空気清浄フィルタ５２０は、第１フィルタの一例としての脱臭フィルタ５２２と、第２フィルタの一例としての集塵フィルタ５２１とを含む。集塵フィルタ５２１は、脱臭フィルタ５２２の下方に配置される。フィルタケース５２３は、脱臭フィルタ５２２を収容する。フィルタケース５２３に収容された脱臭フィルタ５２２のケーシング５１１への取り付け時に、フィルタケース５２３が、集塵フィルタ５２１の周縁部５２１ｂの上面５２１ｂｂを摺動する。フィルタケース５２３に収容された脱臭フィルタ５２２のケーシング５１１への取り付け後に、フィルタケース５２３が、集塵フィルタ５２１の周縁部５２１ｂの上面５２１ｂｂと接触する。
【０２６６】
ここでは、脱臭フィルタ５２２のケーシング５１１への取り付け時に、集塵フィルタ５２１の周縁部５２１ｂの上面５２１ｂｂを、脱臭フィルタ５２２を収容したフィルタケース５２３が摺動するように構成されているため、脱臭フィルタ５２２のケーシング５１１への取り付けが容易である。また、脱臭フィルタ５２２の取り付け後は、フィルタケース５２３が集塵フィルタ５２１の周縁部５２１ｂの上面５２１ｂｂに接触するため、集塵フィルタ５２１の上方への移動を規制することができる。
【０２６７】
（６−８）
上記実施形態に係る空気清浄機５１０では、フィルタケース５２３には、ケース側凸部の一例としての凸部５２３ａが形成される。ケーシング５１１には、フィルタケース５２３に収容された脱臭フィルタ５２２がケーシング５１１に取り付けられた状態で、フィルタケース５２３に形成された凸部５２３ａと嵌合する、ケーシング側凹部の一例としての凹部５１１ｇが形成される。
【０２６８】
ここでは、フィルタケース５２３に凸部５２３ａが、ケーシング５１１に凸部５２３ａが嵌合する凹部５１１ｇがそれぞれ設けられているため、フィルタケース５２３に収容された脱臭フィルタ５２２を所定位置に取り付けることが容易である。
【０２６９】
なお、フィルタケース５２３を集塵フィルタ５２１の周縁部５２１ｂの上面５２１ｂｂで摺動させる場合、つまり、フィルタケース５２３が集塵フィルタ５２１の周縁部５２１ｂの上面５２１ｂｂにガイドされる場合、凸部５２３ａと凹部５１１ｇとを嵌合させることは容易である。しかし、集塵フィルタ５２１がない場合（フィルタケース５２３を集塵フィルタ５２１の周縁部５２１ｂの上面５２１ｂｂで摺動させることができない場合）には、凸部５２３ａと凹部５１１ｇとの位置合わせをして、両者を嵌合させることが困難である。つまり、ここでは、集塵フィルタ５２１が存在しない場合には、脱臭フィルタ５２２の取り付けが困難となる。そのため、集塵フィルタ５２１の取り付け忘れを防止することが容易である。
【０２７０】
（６−９）
上記実施形態に係る空気清浄機５１０は、脱臭フィルタ５２２がケーシング５１１に取り付けられているか否かを検知するフィルタ検知センサ５２５を備える。
【０２７１】
ここでは、フィルタ検知センサ５２５を備えることで、脱臭フィルタ５２２の取り付け忘れを防止することができる。
【０２７２】
また、空気清浄機５１０は、集塵フィルタ５２１が存在しない場合には、脱臭フィルタ５２２の取り付けが困難となる構成であるため、脱臭フィルタ５２２の有無を検知するだけで、空気清浄フィルタ５２０全体の取り付け忘れを検知することが可能である。
【０２７３】
（７）変形例
上記の第２実施形態の空気清浄機５１０の構成は、第１実施形態の空気清浄機１０の構成、又は、第１実施形態の変形例の内容と矛盾のない範囲で適宜組み合わされてもよい。
【０２７４】
以下に、第２実施形態の空気清浄機５１０の変形例を示す。なお、以下の変形例は、矛盾のない範囲で第１実施形態の空気清浄機１０に適用されてもよい。
【０２７５】
（７−１）変形例２Ａ
上記実施形態では、加湿トレイ５３２の下面５３２ｂが空気清浄フィルタ５２０の上方への移動を規制する移動規制部として機能するが、これに限定されるものではない。例えば、加湿ユニット５３０は、加湿トレイ５３２から下方に突出するように形成された移動規制部を有してもよい。ただし、加湿トレイ５３２の下面５３２ｂで空気清浄フィルタ５２０の移動を規制することで、シンプルな構造で空気清浄フィルタ５２０の移動を規制することができる。
【０２７６】
（７−２）変形例２Ｂ
上記実施形態では、移動規制部の一例である加湿トレイ５３２の下面５３２ｂは、フィルタケース５２３の気流ガイド５２４と接触するが、これに限定されるものではない。例えば、加湿トレイ５３２の下面５３２ｂは、フィルタケース５２３の気流ガイド５２４以外の部分と接触することで、空気清浄フィルタ５２０の上方への移動を規制してもよい。
【０２７７】
また、例えば、フィルタケース５２３は気流ガイド５２４を有さず、加湿トレイ５３２の下面５３２ｂは、気流ガイド５２４を有さないフィルタケース５２３と接触することで、空気清浄フィルタ５２０の上方への移動を規制してもよい。ただし、気流ガイド５２４を設けることで、脱臭フィルタ５２２を通過した空気を、加湿ユニット５３０へと圧力損失を抑制して導くことができるため、気流ガイド５２４設けられることが好ましい。
【０２７８】
（７−３）変形例２Ｃ
上記実施形態では、気流ガイド５２４はフィルタケース５２３と一体に形成されているが、これに限定されるものではない。例えば、気流ガイド５２４は、加湿トレイ５３２の下面５３２ｂに設けられてもよい。この場合には、気流ガイド５２４を移動規制部として機能させ、気流ガイド５２４の下部とフィルタケース５２３の上部とを接触させることで、空気清浄フィルタ５２０の上方への移動を規制してもよい。
【０２７９】
ただし、気流ガイド５２４を加湿トレイ５３２の下面に設ける場合には、ケーシング５１１の開口５１５を大きく形成する必要となるため、気流ガイド５２４はフィルタケース５２３と一体に形成されることが好ましい。
【０２８０】
（７−４）変形例２Ｄ
上記実施形態では、空気清浄フィルタ５２０には脱臭フィルタ５２２も含まれるが、これに限定されるものではなく、空気清浄フィルタ５２０は集塵フィルタ５２１のみを有するものであってもよい。この場合には、集塵フィルタ５２１がフィルタケース５２３に収容されるように構成されてもよい。そして、加湿トレイ５３２の下面５３２ｂは、集塵フィルタ５２１を収容するフィルタケース５２３が有する気流ガイド５２４の上部に接触することで、空気清浄フィルタ５２０の上方への移動を規制してもよい。
【０２８１】
（７−５）変形例２Ｅ
上記実施形態では、空気清浄フィルタ５２０は、集塵フィルタ５２１および脱臭フィルタ５２２を含むが、これに限定されるものではなく、更に他のフィルタを含むように構成されてもよい。
【０２８２】
（７−６）変形例２Ｆ
上記実施形態のフィルタ検知センサ５２５の構成は例示であって、フィルタ検知センサには、他の原理を適用したセンサが用いられてもよい。
【０２８３】
（７−７）変形例２Ｇ
上記実施形態では、フィルタケース５２３に凸部５２３ａが、ケーシング５１１に凹部５１１ｇが、それぞれ設けられ、凹部５１１ｇに凸部５２３ａが嵌合するが、これに限定されるものではない。
【０２８４】
例えば、図３５に示すように、フィルタケース５２３にケース側凹部の一例としての凹部５２３ｃが、ケーシング５１１にケーシング側凸部の一例としての凸部５１１ｊがそれぞれ設けられ、フィルタケース５２３の凹部５２３ｃに、ケーシング５１１の凸部５１１ｊが嵌合するように構成されてよい。
【０２８５】
（７−８）変形例２Ｈ
上記実施形態では、加湿ユニット５３０に、加湿トレイ５３２の水供給部５３２ｄにおいて、加湿エレメント５３３の加湿フィルタ５３３ａを水に浸漬させる方式が用いられているが、これに限定されるものではない。
【０２８６】
例えば、加湿ユニット５３０には、加湿ロータヒシャク方式が採用されてもよい。
【０２８７】
具体的に、加湿ロータヒシャク方式の加湿ユニット５３０では、加湿エレメント５３３の加湿ロータ５３３ｂに複数のヒシャク５３３ｂａが設けられる（図３６参照）。加湿ロータヒシャク方式においては、加湿フィルタ５３３ａが直接水に浸漬されるのではなく、加湿ロータ５３３ｂが回転した時に、ヒシャク５３３ｂａが加湿トレイ５３２の水供給部５３２ｄにおいて水をすくい上げる。そして、加湿ロータ５３３ｂが更に回転し、ヒシャク５３３ｂａが最上位置付近に移動した時に、ヒシャク５３３ｂａが加湿フィルタ５３３ａに水をかけることで、加湿フィルタ５３３ａに水が供給される。
【産業上の利用可能性】
【０２８８】
本発明に係る空気清浄機は、ケーシング内の気密性の確保が容易な空気清浄機として有用である。
【符号の説明】
【０２８９】
１０，１００，２００，３００，４００，５１０  空気清浄機
１１，５１１          ケーシング
１１ａ，５１１ａ      吸込口
１１ｂ，５１１ｂ      吹出口
１１ｃ                扉
１１ｃａ              取っ手
１１ｄ，５１１ｅ      フランジ（シール手段）
１１ｅ                シール部材（シール手段）
１２，５１２          送風装置
１２ａ，５１２ａ      ファン（送風ファン）
１２ｂ，５１２ｂ      ファンモータ
１２ａａ，５１２ａａ  ハブ部
１２ａｂ，５１２ａｂ  羽根
１５，５１５          開口
２０，５２０          空気清浄フィルタ
３０，５３０          加湿ユニット
３１                  タンク
３２                  トレイ
３２ａ，５３２ｃ      タンク受け部
３２ｂ，５３２ｄ      水供給部
３２ｃ，５３２ｅ      軸受け部
３２ｄ，５１１ｄａ    取っ手
３３，５３３          加湿エレメント
３３ａ，５３３ａ      加湿フィルタ
３３ｂ，５３３ｂ      加湿ロータ
３３ｃ                水汲み部
３３ｄ，５３３ｃ      ロータ回転軸
３３ｅ                第１駆動部
３３ｅａ              駆動ギア
３３ｅｂ              被駆動ギア
３３ｆ                第２駆動部
３３ｆａ              被駆動ギア
３３ｆｂ              被駆動ギア
３５                  駆動モータ
５１１ｃ              第１側板
５１１ｃａ            取っ手
５１１ｇ              凹部（ケーシング側凹部）
５１１ｊ              凸部（ケーシング側凸部）
５２１                集塵フィルタ（第２フィルタ）
５２１ｂｂ            上面（第２フィルタの上面）
５２２                脱臭フィルタ（第１フィルタ）
５２３                フィルタケース
５２３ａ              凸部（ケース側凸部）
５２３ｃ              凹部（ケース側凹部）
５２４                気流ガイド
５２５                フィルタ検知センサ
５３１                加湿タンク（タンク）
５３２                加湿トレイ（トレイ）
５３２ｂ              下面（移動規制部）
５３４                加湿用モータ
Ｒ１，Ｓ１            送風室
Ｒ２，Ｓ２            空気清浄室
Ｒ３，Ｓ３            加湿室
【先行技術文献】
【特許文献】
【０２９０】
【特許文献１】特開２０００−２８３５４５号公報
【図１】
0005842962.tif 000002
【図２】
0005842962.tif 000003
【図３】
0005842962.tif 000004
【図４】
0005842962.tif 000005
【図５】
0005842962.tif 000006
【図６】
0005842962.tif 000007
【図７】
0005842962.tif 000008
【図８】
0005842962.tif 000009
【図９】
0005842962.tif 000010
【図１０】
0005842962.tif 000011
【図１１】
0005842962.tif 000012
【図１２】
0005842962.tif 000013
【図１３】
0005842962.tif 000014
【図１４】
0005842962.tif 000015
【図１５】
0005842962.tif 000016
【図１６】
0005842962.tif 000017
【図１７】
0005842962.tif 000018
【図１８】
0005842962.tif 000019
【図１９】
0005842962.tif 000020
【図２０】
0005842962.tif 000021
【図２１】
0005842962.tif 000022
【図２２】
0005842962.tif 000023
【図２３】
0005842962.tif 000024
【図２４】
0005842962.tif 000025
【図２５】
0005842962.tif 000026
【図２６】
0005842962.tif 000027
【図２７】
0005842962.tif 000028
【図２８】
0005842962.tif 000029
【図２９】
0005842962.tif 000030
【図３０】
0005842962.tif 000031
【図３１】
0005842962.tif 000032
【図３２】
0005842962.tif 000033
【図３３】
0005842962.tif 000034
【図３４】
0005842962.tif 000035
【図３５】
0005842962.tif 000036
【図３６】
0005842962.tif 000037